(57)【要約】  電気刺激療法を制御するためのデバイス、システム、および技術が説明されている。一例では、システムは、電気刺激療法を患者に送達することであって、電気刺激療法が、ある期間にわたって所定のパルス周波数で複数の治療パルスを含む、送達することと、ある期間にわたって複数の治療パルスのうちの少なくともいくつかの治療パルスとインターリーブされた複数の制御パルスを送達することと、を行うように構成されてもよい。システムはまた、１つ以上の制御パルスの後、かつ複数の治療パルスのうち直後に続く治療パルスの前に、それぞれの誘発複合活動電位（ＥＣＡＰ）を感知することと、少なくとも１つのそれぞれのＥＣＡＰに基づいて、複数の治療パルスを少なくとも部分的に定義する１つ以上のパラメータ値を調整することと、調整された１つ以上のパラメータ値に従って患者に電気刺激療法を送達することと、を行うように構成されてもよい。【選択図】図１
2021529572.tif 000002
【特許請求の範囲】
【請求項１】
システムであって、
刺激生成回路であって、
電気刺激療法を患者に送達することであって、前記電気刺激療法が、ある期間にわたって所定のパルス周波数で複数の通知パルスを含み、前記複数の通知パルスが、パラメータ値の第１の集合によって少なくとも部分的に定義される、送達することと、
前記ある期間にわたって複数の制御パルスを送達することであって、前記複数の制御パルスが、前記複数の通知パルスのうちの少なくともいくつかの通知パルスとインターリーブされ、前記複数の制御パルスが、前記パラメータ値の第１の集合とは異なるパラメータ値の第２の集合によって少なくとも部分的に定義される、送達することと、を行うように構成されている刺激生成回路と、
処理回路であって、
前記複数の制御パルスのうちの各制御パルスの後、かつ前記複数の通知パルスのうちの後続の通知パルスの前に、感知されたそれぞれの誘発複合活動電位（ＥＣＡＰ:evoked compound action potential）を受信することと、
少なくとも１つのそれぞれのＥＣＡＰに基づいて、前記電気刺激療法の前記複数の通知パルスを少なくとも部分的に定義する前記パラメータ値の第１の集合のうちの１つ以上のパラメータ値を調整することと、
前記刺激生成回路を用いて、前記パラメータ値の第１の集合のうちの前記調整された１つ以上のパラメータ値に従って、前記患者に前記電気刺激療法を送達することと、を行うように構成されている、処理回路と、を含む、システム。
【請求項２】
前記複数の通知パルスのうちの各通知パルスのパルス幅が、約３００マイクロ秒超であり、約１０００マイクロ秒未満である、請求項１に記載のシステム。
【請求項３】
前記複数の通知パルスの前記所定のパルス周波数が、約４００ヘルツ未満である、請求項１および２のいずれかの組み合わせに記載のシステム。
【請求項４】
前記複数の制御パルスのうちの各制御パルスの前記パルス幅が、約３００マイクロ秒未満である、請求項１〜３のいずれかの組み合わせに記載のシステム。
【請求項５】
前記刺激生成器が、
複数の時間イベントのうちの各時間イベント中に、前記複数の制御パルスのうちの１つの制御パルスを送達するようにさらに構成されており、
前記複数の時間イベントのうちの各時間イベントが、前記ある期間にわたって前記所定のパルス周波数において、前記複数の通知パルスのうちの連続する通知パルス間の時間を含む、請求項１〜４のいずれかの組み合わせに記載のシステム。
【請求項６】
前記刺激生成器が、
複数の時間イベントのうちの各時間イベント中に、前記複数の制御パルスのうちの２つ以上の制御パルスを送達するようにさらに構成されており、
前記複数の時間イベントのうちの各時間イベントが、前記ある期間にわたって前記所定のパルス周波数において、前記複数の通知パルスのうちの連続する通知パルス間の時間を含む、請求項１〜５のいずれかの組み合わせに記載のシステム。
【請求項７】
前記１つ以上のパラメータ値が、パルス振幅、パルス幅、パルス周波数、およびパルス形状のうちの少なくとも１つを含む、請求項１〜６のいずれかの組み合わせに記載のシステム。
【請求項８】
目標ＥＣＡＰ振幅と、
下限から上限に及ぶＥＣＡＰ調整ウィンドウであって、前記目標ＥＣＡＰ振幅が、前記ＥＣＡＰ調整ウィンドウ内にある、ＥＣＡＰ調整ウィンドウと、をさらに含み、
前記１つ以上のプロセッサが、
前記複数の制御パルスのうちの各制御パルスの後の前記それぞれのＥＣＡＰの振幅を判定することと、
少なくとも１つのそれぞれのＥＣＡＰの代表的な振幅を計算することと、を行うようにさらに構成されている、請求項１〜７のいずれかの組み合わせに記載のシステム。
【請求項９】
前記１つ以上のプロセッサが、
前記代表的な振幅が前記ＥＣＡＰ調整ウィンドウの前記上限超である場合、前記少なくとも１つのそれぞれのＥＣＡＰに続く前記複数の通知パルスのうちの１つ以上の通知パルスの前記振幅を減少させることと、
前記代表的な振幅が目標ＥＣＡＰ調整ウィンドウの上限超である場合、前記少なくとも１つのそれぞれのＥＣＡＰに続く前記複数の制御パルスのうちの１つ以上の制御パルスの前記振幅を減少させることと、を行うようにさらに構成されている、請求項１〜８のいずれかの組み合わせに記載のシステム。
【請求項１０】
前記１つ以上のプロセッサが、
前記代表的な振幅が前記ＥＣＡＰ調整ウィンドウの前記下限未満である場合、前記少なくとも１つのそれぞれのＥＣＡＰに続く前記複数の通知パルスのうちの１つ以上の通知パルスの前記振幅を増加させることと、
前記代表的な振幅が前記目標ＥＣＡＰ調整ウィンドウの下限未満である場合、前記少なくとも１つのそれぞれのＥＣＡＰに続く前記複数の制御パルスのうちの１つ以上の制御パルスの前記振幅を増加させることと、を行うようにさらに構成されている、請求項１〜９のいずれかの組み合わせに記載のシステム。
【請求項１１】
センサをさらに含み、
前記１つ以上のプロセッサが、
前記センサから、前記患者の活動レベルが変化したことを示す信号を受信することと、
前記信号の受信に応じて、前記刺激生成回路を用いて前記患者に送達される前記複数の制御パルスの前記周波数の増加または減少の一方と、行うようにさらに構成されている、請求項１〜１０のいずれかの組み合わせに記載のシステム。
【請求項１２】
前記複数の通知パルスのうちの各通知パルスが、受動的な再充電相が後に続く単相(monophasic)パルスであり、前記複数の制御パルスのうちの各制御パルスが、二相パルスである、請求項１〜１１のいずれかの組み合わせに記載のシステム。
【請求項１３】
目標ＥＣＡＰ振幅およびＥＣＡＰ調整ウィンドウを記憶するように構成されているメモリと、
１つ以上の電極と、をさらに含み、
前記刺激生成回路が、
前記１つ以上の電極を用いて、前記患者に電気刺激療法を送達することと、
前記複数の制御パルスを、前記１つ以上の電極を用いて、前記患者に送達することと、を行うようにさらに構成されている、請求項１〜１２のいずれかの組み合わせに記載のシステム。
【請求項１４】
前記複数の制御パルスが、複数の非治療パルスを含み、前記複数の通知パルスが、複数の治療パルスを含む、請求項１〜１３のいずれかの組み合わせに記載のシステム。
【発明の詳細な説明】
【技術分野】
【０００１】
本開示は、一般に、電気刺激療法、より具体的には、電気刺激療法の制御に関する。
【背景技術】
【０００２】
医療デバイスは、外付けであっても、埋め込み型であってもよく、慢性疼痛、振戦、パーキンソン病、てんかん、尿失禁または便失禁、性機能障害、肥満、または胃穿孔症のような様々な症状または状態を治療するために、様々な組織部位を介して患者に電気刺激療法を送達するために使用され得る。医療デバイスは、患者の脳、脊髄、骨盤神経、末梢神経、または消化管に関連する目標位置に近接して配置された電極を含む１つ以上のリード線を用いて電気刺激療法を送達し得る。脊髄近位、仙骨神経近位、脳内、および末梢神経近位への刺激は、それぞれ脊髄刺激（ＳＣＳ）、仙骨神経刺激（ＳＮＭ）、深部脳刺激（ＤＢＳ）、末梢神経刺激（ＰＮＳ）と称されることが多い。
【０００３】
電気刺激療法は、一連の電気刺激パルスで医療デバイスによって送達されてもよく、電気刺激パルスを定義するパラメータは、周波数、振幅、パルス幅、およびパルス形状を含んでもよい。
【発明の概要】
【０００４】
誘発複合活動電位（ＥＣＡＰ）を感知することによって電気刺激療法を制御するためのシステム、デバイス、および技術が説明されている。いくつかの例では、電気刺激パルスは、少なくとも部分的に互いにインターリーブされた通知パルスおよび制御パルスの形で送達される。制御パルスは、検出可能なＥＣＡＰ信号、例えばＥＣＡＰ試験パルスを誘発するように構成されているそれらの刺激パルスである。いくつかの例では、制御パルスは、患者の治療に寄与する可能性がある。他の例では、制御パルスは、例えば非治療パルスなど、患者の治療に寄与しない。このようにして、制御パルスは、患者の治療効果を誘発するように構成されてもよいし、されなくてもよい。通知パルスは、１つ以上の制御パルスから誘発された検出可能なＥＣＡＰ信号に基づく１つ以上のパラメータによって、少なくとも部分的に定義される刺激パルスである。このようにして、通知パルスは、制御パルスから検出されたＥＣＡＰ信号によって「通知」される。通知パルスは、疼痛症状を和らげる錯感覚などの治療を患者に提供するようにも構成されている。
【０００５】
医療デバイス（例えば、埋め込み型医療デバイス）は、１つ以上のリードを用いて１つ以上の制御パルスを患者に送達でき、システムは、すべて連続する通知パルス間で、制御パルスによって誘発された結果として得られるＥＣＡＰ信号を感知することができる。例えば、ＥＣＡＰ信号の特性（例えば、電圧振幅）が目標ＥＣＡＰ特性から逸脱したとの判定に応じて、システムは、患者に送達される次の１つ以上の通知パルスおよび／または制御パルスの１つ以上の刺激パラメータを変更してもよい。例えば、システムは、所定のステップサイズによって、または患者の成長曲線を表すゲイン値に基づいて、通知パルス（および、いくつかの例では、制御パルスについて）の電流振幅を増加または減少させることができる。このようにして、システムは、通知パルスおよび／または制御パルスの１つ以上の刺激パラメータを調整することによって、一貫した量の神経活性化を維持するように構成され得る。本明細書で考察されるように、通知パルスによって誘発されるＥＣＡＰ信号は、医療デバイスによって検出されない場合があるので、通知パルスの１つ以上のパラメータの値は、制御パルスから検出されるＥＣＡＰ信号の特性から決定されてもよい。
【０００６】
いくつかの例では、制御パルスは非治療パルスであってもよく、これは患者の治療に寄与するという主な目的なしに選択されたパラメータ値を有する刺激パルスである。この例では、１つ以上の非治療パルスが患者に送達されてもよく、システムは、すべて連続した治療パルス（例えば、患者の治療に寄与するように構成されている通知パルス）の間で、結果として得られるＥＣＡＰ信号を感知してもよい。ＥＣＡＰ信号の特性（例えば、電圧振幅）が目標ＥＣＡＰ特性から逸脱したとの判定に応じて、システムは、患者に送達される次の１つ以上の治療パルスの１つ以上の刺激パラメータを変更してもよい。例えば、システムは、所定のステップサイズによって、または患者の成長曲線を表すゲイン値に基づいて、治療パルスの電流振幅を増加または減少させることができる。このようにして、システムは、治療パルスの１つ以上の刺激パラメータを調整することによって、一貫した量の神経活性化を維持するように構成され得る。
【０００７】
一例では、方法は、電気刺激療法を患者に送達することであって、電気刺激療法が、ある期間にわたって所定のパルス周波数で複数の通知パルスを含み、複数の通知パルスが、パラメータ値の第１の集合によって少なくとも部分的に定義される、送達することと、ある期間にわたって、複数の通知パルスのうちの少なくともいくつかの通知パルスとインターリーブされた複数の制御パルスを送達することであって、複数の制御パルスが、パラメータ値の第１の集合とは異なるパラメータ値の第２の集合によって少なくとも部分的に定義される、送達することと、複数の制御パルスのうちの１つ以上の制御パルスの後、かつ複数の通知パルスの直後の通知パルスよりも前に、それぞれの誘発複合活動電位（ＥＣＡＰ）を感知することと、少なくとも１つのそれぞれのＥＣＡＰに基づいて、電気刺激療法の複数の通知パルスを少なくとも部分的に定義するパラメータ値の第１の集合うちの１つ以上のパラメータ値を調整することと、パラメータ値の第１の集合のうちの調整された１つ以上のパラメータ値に従って、電気刺激療法を患者に送達することと、を含む。
【０００８】
別の例では、システムは、電気刺激療法を患者に送達することであって、電気刺激療法が、ある期間にわたって所定のパルス周波数で複数の通知パルスを含み、複数の通知パルスが、パラメータ値の第１の集合によって少なくとも部分的に定義される、送達することと、ある期間にわたって、複数の制御パルスを送達することであって、複数の制御パルスが、複数の通知パルスのうちの少なくともいくつかの通知パルスとインターリーブされ、複数の制御パルスが、パラメータ値の第１の集合とは異なるパラメータ値の第２の集合によって少なくとも部分的に定義される、送達することと、を行うように構成されている刺激生成回路と、複数の制御パルスのうちの１つ以上の制御パルスの後、かつ複数の通知パルスの直後の通知パルスよりも前に、感知されたそれぞれの誘発複合活動電位（ＥＣＡＰ）を受信することと、少なくとも１つのそれぞれのＥＣＡＰに基づいて、電気刺激療法の複数の通知パルスを少なくとも部分的に定義するパラメータ値の第１の集合のうちの１つ以上のパラメータ値を調整することと、刺激生成回路を用いて、パラメータ値の第１の集合のうちの調整された１つ以上のパラメータ値に従って、電気刺激療法を患者に送達することと、を行うように構成されている処理回路と、を含む。
【０００９】
別の例では、コンピュータ可読記憶媒体は、実行されたときに、１つ以上のプロセッサに、電気刺激療法の患者への送達を制御することであって、電気刺激療法が、ある期間にわたって所定のパルス周波数で複数の通知パルスを含み、複数の通知パルスが、パラメータ値の第１の集合によって少なくとも部分的に定義される、制御することと、ある期間にわたって、複数の通知パルスのうちの少なくともいくつかの通知パルスとインターリーブされた複数の制御パルスの送達を制御することであって、複数の制御パルスが、パラメータ値の第１の集合とは異なるパラメータ値の第２の集合によって少なくとも部分的に定義される、制御することと、複数の制御パルスのうちの１つ以上の制御パルスの後、かつ複数の通知パルスの直後の通知パルスよりも前に、感知されたそれぞれの誘発複合滑動電位（ＥＣＡＰ）を受信すること、少なくとも１つのそれぞれのＥＣＡＰに基づいて、電気刺激療法の複数の通知パルスを少なくとも部分的に定義するパラメータ値の第１の集合のうちの１つ以上のパラメータ値を調整することと、パラメータ値の第１の集合のうちの調整された１つ以上のパラメータ値に従って、電気刺激療法の患者への送達を制御することと、を行わせる命令を含む。
【００１０】
別の例では、方法は、制御刺激パルスを患者に送達することであって、制御刺激パルスが、第１のパルス幅を有する、送達することと、制御刺激パルスによって誘発された誘発複合活動電位（ＥＣＡＰ）信号を感知することと、ＥＣＡＰ信号の特性を特定することと、ＥＣＡＰ信号の特性およびゲイン値に基づいて、複数の通知パルスから通知刺激パルスを少なくとも部分的に定義するパラメータ値を判定することとであって、複数の通知パルスが、第１のパルス幅よりも長い第２のパルス幅を有する、判定することと、判定したパラメータ値に従って通知パルスを送達することと、を含む。
【００１１】
別の例では、システムは、刺激生成回路であって、制御刺激パルスを患者に送達することであって、制御刺激パルスが、第１のパルス幅を有する、送達することと、複数の通知パルスから、かつパラメータ値に従って、通知刺激パルスを送達することであって、複数の通知パルスが、第１のパルス幅よりも長い第２のパルス幅を有する送達することと、を行うように構成されている刺激生成回路と、処理回路であって、制御刺激パルスによって誘発された感知された誘発複合活動電位（ＥＣＡＰ）信号を受信することと、ＥＣＡＰ信号の特性を特定することと、ＥＣＡＰ信号の特性とゲイン値に基づいて、通知パルスを少なくとも部分的に定義するパラメータ値を判定することと、を行うように構成されている処理回路と、を含む。
【００１２】
別の例では、コンピュータ可読記憶媒体は、実行されたときに、１つ以上のプロセッサに、制御刺激パルスの患者への送達を制御することであって、制御刺激パルスが第１のパルス幅を有する、制御することと、制御刺激パルスによって誘発された誘発複合活動電位（ＥＣＡＰ）信号を感知することと、ＥＣＡＰ信号の特性を特定することと、ＥＣＡＰ信号の特性およびゲイン値に基づいて、複数の通知パルスから通知刺激パルスを少なくとも部分的に定義するパラメータ値を判定することとであって、複数の通知パルスが、第１のパルス幅よりも長い第２のパルス幅を有する、判定することと、判定したパラメータ値に従って通知パルスを送達することと、を行わせる命令を含む。
【００１３】
本開示の技術の１つ以上の例の詳細は、添付の図面および以下の説明に記載されている。本技術の他の特徴、目的および利点は、説明および図面から、かつ特許請求の範囲から明らかになるであろう。
【図面の簡単な説明】
【００１４】
【図１】本開示の技術に従って脊髄刺激（ＳＣＳ）療法を送達するように構成されている医療デバイスプログラマと埋め込み型医療デバイス（ＩＭＤ）とを含む例示的なシステムを示す概念図である。
【図２Ａ】図１の例示的なＩＭＤのブロック図である。
【図２Ｂ】図１の例示的な外部プログラマのブロック図である。
【図３】それぞれの刺激パルスに対して感知された例示的な誘発複合活動電位（ＥＣＡＰ）のグラフである。
【図４Ａ】本開示の１つ以上の技術による、電気刺激パルスおよびそれぞれの感知されたＥＣＡＰの例を示すタイミング図である。
【図４Ｂ】本開示の技術による、電気刺激パルスおよびそれぞれの感知されたＥＣＡＰの例を示すタイミング図である。
【図５】本開示の技術による、電気刺激パルスおよびそれぞれのＥＣＡＰの別の例を示すタイミング図である。
【図６】本開示の技術による、電気刺激パルスおよびそれぞれのＥＣＡＰの別の例を示すタイミング図である。
【図７】本開示の技術による、治療送達の例示的な技術を示すフローチャートである。
【図８】入力に応じて、ＥＣＡＰ試験刺激の制御パルスの送達を調整するための例示的な技術を示すフローチャートである。
【図９】刺激療法を調整するための例示的な技術を示すフローチャートである。
【図１０Ａ】それぞれの刺激パルス振幅から感知されたＥＣＡＰの例示的な成長曲線のグラフである。
【図１０Ｂ】刺激療法を調整するための例示的な技術を示す図である。
【図１１】刺激療法を調整するための例示的な技術を示すフローチャートである。
【図１２】感知されたＥＣＡＰを用いて、フィードバック機構の有効性をテストする実験で使用された機器の例の図である。
【図１３】開ループを使用して感知されたＥＣＡＰ電圧振幅と、閉ループ構成における異なるフィードバック対象振幅とのグラフを含む。
【発明を実施するための形態】
【００１５】
本開示は、医療デバイスによって送達される制御刺激パルスに応じて、医療デバイスによって受容される誘発複合活動電位（ＥＣＡＰ）の１つ以上の特性に基づいて、患者に送達される電気刺激療法を自動的に調整するための医療デバイス、システム、および技術の例を説明する。電気刺激療法は、通常、２つ以上の電極を介して患者の標的組織（例えば、１つ以上の神経または筋肉）に送達される。電気刺激療法のパラメータ（例えば、電極の組み合わせ、電圧または電流の振幅、パルス幅、パルス周波数など）は、痛み、筋肉障害などの様々な症状を緩和するために、臨床医および／または患者によって選択される。しかしながら、患者が動くと、電極と標的組織との間の距離が変化する。神経漸増は、刺激強度および標的組織と電極との間の距離の関数であるため、電極を標的組織に近づけると、患者による知覚が増加し（例えば、痛みを伴う可能性がある）、電極を標的組織からさらに遠くに移動させると、患者に対する治療効果が低下する可能性がある。
【００１６】
各ＥＣＡＰ信号は、電気刺激（例えば、刺激パルス）に応じて発火する軸索から生成される電位の重ね合わせを表しているため、ＥＣＡＰは神経漸増の尺度となる。ＥＣＡＰ信号の特性（例えば、信号の一部分の振幅、１つ以上のピークの下の領域、周波数成分、および／または最大および／または最小ピークタイミング）の変化は、送達された刺激パルスによってどれだけ多くの軸索が活性化されたかについての関数として生じる。システムは、ＥＣＡＰ信号の特性の変化を監視し、その特性の変化を使用して、患者に送達される通知パルスおよび／または制御パルスの１つ以上の刺激パラメータを調整することができる。例えば、システムは、ＥＣＡＰ信号の振幅の増加を検出することに応じて、刺激パルスの強度を減少させる（例えば、電流振幅および／またはパルス幅を減少させる）ことができる。送達された刺激パルスが最初に神経を脱分極させた後、ＥＣＡＰ信号として検出可能な神経インパルスは、神経繊維に沿って迅速に移動する。したがって、第１の電極によって送達される刺激パルスのパルス幅が長すぎる場合、ＥＣＡＰを感知するように構成されている異なる電極は、刺激パルス自体を、より低い振幅のＥＣＡＰ信号を不明瞭にするアーチファクトとして感知する。しかし、ＥＣＡＰ信号は、異なる神経線維が異なる速度で電位を伝播するため、電気刺激から電位が伝播するにつれて忠実性を失う。したがって、刺激電極から遠い距離でＥＣＡＰを検出すると、パルス幅の長い刺激パルスによって引き起こされるアーチファクトを回避できるが、ＥＣＡＰ信号は、電極から標的組織までの距離が変化したときに発生するＥＣＡＰ信号の変化を検出するのに必要な忠実性を失う可能性がある。言い換えれば、システムは、刺激電極から任意の距離で、患者に治療を提供するように構成されている刺激パルスからのＥＣＡＰを特定することができない場合がある。
【００１７】
本明細書に記載されるように、医療デバイスは、以前に送達された制御パルスによって誘発されたＥＣＡＰ信号の１つ以上のパラメータに基づいて、患者に治療を提供するように構成されている複数の通知パルスおよび／または制御パルスを送達するように構成され得る。医療デバイスは、場合によっては、複数の通知パルスを送達することができ、これらは、制御パルスによって誘発されるＥＣＡＰ信号の１つ以上のパラメータに基づいて患者に治療を提供するか、少なくともそれに寄与するように構成されている。いくつかの例では、制御パルスは、患者の治療に寄与することなく、ＥＣＡＰ信号を誘発するように構成され得る。しかしながら、他の例では、制御パルスは、単独で、または通知パルスと組み合わせて、患者に治療を提供することができる。制御パルスは、通知パルスの送達とインターリーブされてもよい。例えば、医療デバイスは、連続する通知パルスの間で、制御パルスが送達され、制御パルスからＥＣＡＰ信号が感知されるように、通知パルスと制御パルスの送達を交互に行ってもよい。いくつかの例では、連続する通知パルスの送達の間で、複数の制御パルスが送達され、それぞれのＥＣＡＰ信号が感知される。いくつかの例では、複数の通知パルスが、連続する制御パルスの間で送達される。いずれの場合でも、通知パルスは、通知パルスが患者の治療結果をもたらすか、あるいは寄与することができるように選択された所定のパルス周波数に従って送達され得る。次に、１つ以上の制御パルスが送達され、それぞれのＥＣＡＰ信号が、所定のパルス周波数に従って送達される連続する通知パルス間の１つ以上の時間ウィンドウ内で感知される。所定のパルス周波数は、単一の一貫した周波数、または経時的に変化する変動周波数であり得る。制御パルスのパルス幅は、医療デバイスが制御パルスから誘発されたＥＣＡＰ信号を検出することを可能にするために、通知パルスのパルス幅よりも短くなり得る。別の言い方をすれば、通知パルスのパルス幅が長くなると、例えば、通知パルスがＥＣＡＰ信号と重畳するために、結果として生じるＥＣＡＰ信号が検出されるのを妨げる可能性がある。このようにして、医療デバイスは、医療デバイスからの通知パルスを中断することなく管理することができ、一方、ＥＣＡＰは、通知パルスが送達されていない時間中に送達される制御パルスから感知することができる。
【００１８】
一例では、制御パルスは患者の治療に寄与せず、非治療パルスと称されることがある。この例では、医療デバイスは、患者に治療を提供するように構成されている複数の治療パルス（例えば、通知パルス）と、患者に治療を提供するという主要な目的なしに、検出可能なＥＣＡＰ信号を誘発するように構成されている複数の非治療パルスとを送達するように構成され得る。非治療パルスは、治療パルスの送達とインターリーブされてもよい。例えば、医療デバイスは、連続する治療パルスの間で、非治療パルスが送達され、ＥＣＡＰ信号が感知されるように、治療パルスと非治療パルスの送達を交互に行ってもよい。いくつかの例では、連続する治療パルスの送達の間で、複数の非治療パルスが送達され、それぞれのＥＣＡＰ信号が感知される。いくつかの例では、複数の治療パルスが、連続する非治療パルスの間で送達される。いずれの場合でも、治療パルスは、治療パルスが患者に治療結果をもたらすことができるように、選択された所定のパルス周波数に従って送達され得る。次に、１つ以上の非治療パルスが送達され、所定のパルス周波数に従って送達される連続する治療パルス間の１つ以上の時間ウィンドウ内で、それぞれのＥＣＡＰ信号が感知される。このようにして、医療デバイスは、医療デバイスからの治療パルスを中断することなく管理することができ、一方、治療パルスが送達されていない時間中に送達される非治療パルスから、ＥＣＡＰが感知される。
【００１９】
システムは、医療デバイスによって受信された感知されたＥＣＡＰ信号の１つ以上の特性への変化を判定することに応じて、通知パルスを少なくとも部分的に定義する１つ以上のパラメータの値を調整することができる。例えば、医療デバイスは、制御パルスによって誘発されたＥＣＡＰ信号の振幅を測定し、それを、患者にとって適切であると以前に特定された目標ＥＣＡＰ振幅と比較することができる。ＥＣＡＰ信号の振幅（例えば、ＥＣＡＰ信号における１つ以上のピークの電圧振幅）が目標ＥＣＡＰ振幅よりも大きい場合、刺激電極が神経に近づいたため、制御パルスの強度が高すぎる可能性がある。医療デバイスは、通知パルスの強度（例えば、電流振幅、パルス幅、パルス周波数、スルーレート、またはそれらのいずれかの組み合わせ）を反応よく低減することができる。逆に、ＥＣＡＰ信号の振幅が目標ＥＣＡＰ振幅よりも小さい場合、刺激電極が神経から遠くに移動しているため、制御パルスの強度が十分に強くない可能性がある。医療デバイスは、通知パルスの強度を反応よく増加させることができる。このようにして、医療デバイスは、制御パルスから誘発されたＥＣＡＰ信号を監視して、情報パルスの１つ以上のパラメータを調整して、患者に効果的な治療を提供する神経活性化の量を維持することができる。
【００２０】
制御パルスからの感知された電気的アーチファクトがＥＣＡＰ信号を不明瞭にすることを減少または防止するために、制御パルスのパルス幅は、通知パルスのパルス幅よりも短くてもよい（言い換えれば、通知パルスのパルス幅は、制御パルスのパルス幅より長くてもよい）。例えば、制御パルスは、約３００マイクロ秒（μｓ）未満であり得る。一例では、制御パルスは、約１００μｓの正相と、約３０μｓの相間間隔で分離した約１００μｓの負相とを有する二相パルスであり得る。このようにして、リードの一端の刺激電極は制御パルスを送達することができ、同じリードの他端の電極は、制御パルス自体からの干渉なしに、または最小限に抑えて、ＥＣＡＰ信号を感知することができる。
【００２１】
一例では、システムは、感知されたＥＣＡＰ信号に基づいて、通知パルスの１つ以上のパラメータを調整することができる。医療デバイスは、少なくとも１つのそれぞれのＥＣＡＰ信号の代表的な振幅を決定することができる。次に、医療デバイスは、代表的な振幅を、目標ＥＣＡＰ特性（例えば、目標ＥＣＡＰ振幅、または周波数成分、１つ以上のピークの下の領域、または１つ以上のピークのタイミングなどの他の特性）および目標ＥＣＡＰ調整ウィンドウと比較することができる。目標ＥＣＡＰ調整ウィンドウは、上限と下限を含む、目標ＥＣＡＰ振幅の周囲の振幅の範囲であってもよい。いくつかの例では、目標ＥＣＡＰ調整ウィンドウは、ＥＣＡＰ信号の小さな振動について、通知パルスの１つ以上のパラメータに調整が行われないように、差異をプラスマイナスした目標ＥＣＡＰ特性によって定義されてもよい。言い換えると、差異をプラスした目標ＥＣＡＰ特性が目標ＥＣＡＰ調整ウィンドウの上限であってよく、差異をマイナスした目標ＥＣＡＰ特性が目標ＥＣＡＰ調整ウィンドウの下限であってもよい。差異は、目標ＥＣＡＰ特性の上下で同じでも異なっていてもよい。少なくとも１つのそれぞれのＥＣＡＰの代表的な振幅が、目標ＥＣＡＰ調整ウィンドウの上限よりも大きい場合、医療デバイスは、後続の通知パルスおよび制御パルスの振幅を減少させるように構成されていてもよい。制御パルスはまた、その後に検出されたＥＣＡＰ信号に基づいてさらに調整が必要かどうかを判断するために、調整されてもよい。少なくとも１つのそれぞれのＥＣＡＰの代表的な振幅が、目標ＥＣＡＰ調整ウィンドウの下限よりも低い場合、医療デバイスは、少なくとも１つのそれぞれのＥＣＡＰに続く通知パルスおよび制御パルスの振幅を増加させるように構成されていてもよい。通知パルスおよび制御パルスの振幅が変更される量は、ＥＣＡＰ信号の代表的な振幅の検出された変化に基づく所定の振幅ステップサイズまたは所定の割合であってもよい。このように、フィードバックループは、目標ＥＣＡＰ振幅をもう一度達成するために、２回以上の反復を必要とすることもある。
【００２２】
別の例では、医療デバイスは動的フィードバックループを使用することができる。成長曲線は、それぞれの異なる刺激パルス振幅に対するＥＣＡＰ信号の特性の検出値の間の関係の傾きに基づいて判定される患者について判定されてもよい。したがって、医療デバイスは、目標ＥＣＡＰ特性値（例えば、振幅値、１つ以上のピークの下の領域、周波数成分、または最大および／または最小ピークタイミング）と、測定ＥＣＡＰ値との間の差を判定し、その差にゲイン値を乗算してもよい。その後、結果の値を使用して、測定ＥＣＡＰ値をもたらす制御パルスを定義する以前のパラメータ値を増減することができる。ゲイン値を使用して、通知パルスのパラメータ値を同様に調整することもできる。ゲイン値を使用することにより、システムは大きなＥＣＡＰ信号の変動に迅速に応答し、通知パルスと制御パルスを目標ＥＣＡＰにリセット可能であってもよい。このプロセスは、患者の動きの間の電極から組織までの距離の変化に起因する効果の低い治療を生み出す通知パルスの数を減らすことができる。
【００２３】
通知パルスおよび制御パルスは、一般に、本明細書では、異なるタイプの電気刺激を反映する異なる刺激パルスとして説明されている。しかしながら、異なるタイプの電気刺激、およびそのそれぞれのパルスは、様々な属性で説明されることがある。例えば、第１のタイプの電気刺激は、主に患者の治療に寄与するように構成されている第１のパルスを含み得る。この第１のタイプの電気刺激の第１のパルスはまた、第１のパルス自体に代表されるアーチファクトが、それぞれの誘発されたＥＣＡＰ信号の少なくとも一部分に重畳してこれを不明瞭にするため、第１のタイプの電気刺激の第１のパルスから誘発されたＥＣＡＰ信号を検出するシステムの能力を妨げるかまたは低下させる１つ以上の特性（例えば、パルス幅）を有していてもよい。第２のタイプの電気刺激は、システムによって感知され、かつ検出可能なＥＣＡＰ信号を誘発するために選択される１つ以上のパラメータ値によって定義される第２のパルスを含み得る。したがって、第２のパルスは、検出可能なＥＣＡＰ信号を誘発するように構成されているので、第２のパルスは、「制御パルス」、「感知パルス」、または「試験パルス」と称され得る。例えば、第２のタイプの電気刺激の第２のパルスは、ＥＣＡＰ信号を不明瞭にするか、そうでなければ第２のパルスの各々からＥＣＡＰ信号を検出するシステムの能力を妨げるまたは減少させるアーチファクトを発生させない（またはアーチファクトの存在を減少させる）ようなＥＣＡＰ信号の検出性を向上させてもよい。加えて、第２のパルスは、第１のタイプの電気刺激の第１のパルス（例えば、通知パルス）の１つ以上のパラメータ値を少なくとも修正するのに使用されるＥＣＡＰ信号を誘発するために選択されるパラメータ値によって定義されてもよい。したがって、第１のパルスは、少なくとも１つのパラメータ（例えば、電流および／または電圧の振幅、パルス幅、および／または周波数）によって第２のパルスと異なる場合がある。本明細書で考察されるように、いくつかの例では、第２のパルスは、第１のパルスのパルス幅よりも短いパルス幅を有する。第１のパルスは、第２のパルスの少なくともいくつかと少なくとも部分的にインターリーブされてもよい。例えば、システムは、１つの第１のパルスの送達と１つの第２のパルスの送達とを交互に行うことができる。別の例では、第１のパルスの数は、比または割合によって第２のパルスの数と異なる場合がある。第１と第２のパルスが完全にインターリーブされている場合、比は１：１になる可能性がある。第２のパルスが第１のパルスよりも少ない頻度で送達される例では、比は第１のパルス対第２のパルスで１０：１となり得る。他の例では、第２のパルス、およびそれぞれの感知されたＥＣＡＰ信号）が第１のパルスよりも頻繁に発生する場合、第１のパルス対第２のパルスの比が１：４である可能性がある。第２のパルスは、患者によって知覚される治療または感覚に寄与する場合もあれば、寄与しない場合もあるが、第２のパルスの主要な目的は、第２のパルス自体を表すいずれかの感知されたアーチファクトとは別に、システムによって検出可能なそれぞれのＥＣＡＰ信号を誘発することである。第２のパルスによって誘発されたＥＣＡＰ信号は検出可能であるため、システムは、第１のパルス（例えば、通知パルス）を少なくとも部分的に定義する１つ以上のパラメータ値を「通知」または調整するために、１つ以上の第２のパルスからのＥＣＡＰ信号を使用することができる。
【００２４】
電気刺激は、一般に、電気刺激パルスの形で本明細書に記載されているが、他の例では、電気刺激は、非パルスの形で送達され得る。例えば、電気刺激は、様々な波形形状、周波数、および振幅を有する信号として送達され得る。したがって、非パルス信号の形での電気刺激は、正弦波形または他の連続波形を有する可能性があるよりも、連続信号である可能性がある。
【００２５】
図１は、患者１０５に電気刺激療法を送達するように構成されている埋め込み型医療デバイス（ＩＭＤ）１１０を含む例示的なシステム１００を示す概念図である。図１に示される例では、ＩＭＤ１１０は、本開示の技術に従って脊髄刺激（ＳＣＳ）療法を送達するように構成されている。本開示で説明される技術は、一般に、外部および埋め込み型医療デバイス（ＩＭＤ）を含む様々な医療デバイスに適用可能であるが、そのような技術のＩＭＤ、より具体的には、埋め込み型電気刺激装置（例えば、神経刺激装置）への適用は、例証のために説明される。より具体的には、本開示は、例証のために埋め込み型脊髄刺激（ＳＣＳ）システムに言及するが、他のタイプの医療デバイスまたは医療デバイスの他の治療用途に関して限定されない。
【００２６】
図１に示されるように、システム１００は、ＩＭＤ１１０、リード１３０Ａおよび１３０Ｂ、ならびに通常は人間の患者である患者１０５に関連して示される外部プログラマ１５０を含む。図１の例では、ＩＭＤ１１０は、例えば慢性的な痛みまたは他の症状の緩和のために、リード１３０Ａおよび／または１３０Ｂ（集合的に「リード１３０」）の電極のうちの１つ以上の電極を介して、患者１０５に電気刺激療法を生成して送達するように構成されている埋め込み型電気刺激装置である。他の例では、ＩＭＤ１１０は、複数の電極を有する単一のリード、またはそれぞれが複数の電極を有する２つ以上のリードに結合することができる。電気刺激療法に加えて、ＩＭＤ１１０はまた、通知パルスの治療に寄与する場合、またはそうでない場合もあるＥＣＡＰ信号を誘発するように構成されている制御パルスを生成および送達するように構成され得る。本明細書で考察されるように、いくつかの例では、制御パルスは、非治療的であり得る。ＩＭＤ１１０は、数週間、数ヶ月、または数年さえも患者１０５内に埋め込まれたままでいる長期電気刺激装置であり得る。他の例では、ＩＭＤ１１０は、長期治療のための電気刺激の有効性をスクリーニングまたは評価するために使用される一時的または試験的な刺激装置であり得る。一例では、ＩＭＤ１１０は、患者１０５内に埋め込まれ、一方、別の例では、ＩＭＤ１１０は、経皮的に埋め込まれたリードに結合された外部デバイスである。いくつかの例では、ＩＭＤ１１０は１つ以上のリードを使用し、他の例では、ＩＭＤ１１０は、リードレスである。
【００２７】
ＩＭＤ１１０は、患者１０５内にＩＭＤ１１０の構成要素（例えば、図２Ａに示される構成要素）を収容するのに十分ないずれかのポリマー、金属、または複合材料で構成され得る。この例では、ＩＭＤ１１０は、チタンもしくはステンレス鋼などの生体適合性ハウジング、またはシリコーン、ポリウレタン、もしくは液晶ポリマーなどのポリマー材料で構成され、患者１０５の骨盤、腹部、または臀部の近くの部位に外科的に埋め込まれてもよい。他の例では、ＩＭＤ１１０は、患者１０５内の他の好適な部位内に埋め込まれてもよく、これは、例えば、電気刺激療法の送達のための患者１０５内の対象部位に依存してもよい。ＩＭＤ１１０の外部ハウジングは、再充電式または非再充電式の電源などの構成要素に気密封止を提供するように構成されていてもよい。加えて、いくつかの例では、ＩＭＤ１１０の外部ハウジングは、再充電式の電源を充電するためのエネルギーの受容を容易にする材料から選択されてもよい。
【００２８】
例えば、定電流または定電圧によるパルスであり得る電気刺激エネルギーは、埋め込み型リード１３０の１つ以上の電極（図示せず）を用いて、ＩＭＤ１１０から患者１０５の１つ以上の標的組織部位に送達される。図１の例では、リード１３０は、脊髄１２０の標的組織に隣接して定置された電極を有する。１つ以上の電極は、リード１３０の遠位先端に、および／またはリードに沿った中間点の他の位置に配置されてもよい。リード１３０は、埋め込まれ、ＩＭＤ１１０に結合され得る。電極は、ＩＭＤ１１０内の電気刺激発生器によって生成された電気刺激を患者１０５の組織に伝達することができる。リード１３０は、各々単一のリードであり得るが、リード１３０は、リード延長またはリード１３０の埋め込みまたは位置決めに役立つことのできる他のセグメントを含んでいてもよい。他のいくつかの例では、ＩＭＤ１１０は、ハウジングから延びるリードではなく、刺激装置のハウジング上に配設された電極の１つ以上のアレイを有するリードレス刺激装置であり得る。加えて、他のいくつかの例では、システム１００は、１つのリードまたは２つ以上のリードを含んでいてもよく、各々がＩＭＤ１１０に結合され、類似または異なる標的組織部位に向けられる。
【００２９】
リード１３０の電極は、パドルリード上の電極パッド、リードの本体を取り囲む円形（例えば、リング）電極、適合電極、カフ電極、分割電極（例えば、連続したリング電極の代わりにリードの周囲の異なる周方向位置に配置された電極）、それらのいずれかの組み合わせ（例えば、リング電極および分割電極）、または治療のための単極、双極または多極の電極の組み合わせを形成することが可能ないずれかの他のタイプの電極であってもよい。リード１３０の遠位端の異なる軸方向位置に配設されたリング電極は、例示の目的で説明される。
【００３０】
リード１３０を介した電極の配備は、例示の目的で説明されているが、電極のアレイは、異なる方法で配備されてもよい。例えば、リードレス刺激装置に関連するハウジングは、電極のアレイ、例えば、シフト操作を適用することができる行および／または列（または他のパターン）を有していてもよい。そのような電極は、表面電極、リング電極、または突起として配設することができる。さらなる代替手段として、電極アレイは、１つ以上のパドルリード上の電極の行および／または列によって形成されてもよい。いくつかの例では、電極アレイは、リードの周囲のそれぞれの位置に配設され得る電極セグメントを含んでいてもよく、例えば、円筒形リードの周囲の１つ以上の分割リングの形態で配設されてもよい。他の例では、リード１３０のうちの１つ以上は、リードの軸方向の長さに沿って８つのリング電極を有する線形リードである。別の例では、電極は、リードの軸方向の長さに沿って、リードの周辺に直線的に配設された分割リングである。
【００３１】
リード１３０の電極を介したＩＭＤ１１０による電気刺激療法の刺激パルスを定義する療法刺激プログラムの刺激パラメータは、刺激プログラムに従って刺激を送達するためにどの電極が選択されたか、選択された電極の極性、すなわち、プログラムに対する電極の組み合わせ、および電圧または電流の振幅、パルス周波数、パルス幅、電極によって送達される刺激のパルス形状を特定する情報を含んでいてもよい。通知パルスのこれらの刺激パラメータは、通常、通知パルスの送達の前に判定される所定のパラメータ値である。しかしながら、いくつかの例では、システム１００は、１つ以上の要因に基づいて、またはユーザ入力に基づいて、１つ以上のパラメータ値を自動的に変更してもよい。
【００３２】
刺激情報パルスに加えて、ＥＣＡＰ試験刺激プログラムは、リード１３０の電極の少なくともいくつかを介してＩＭＤ１１０によって送達される制御パルスを定義する刺激パラメータ値を定義することができる。これらの刺激パラメータ値は、制御パルスの送達のためにどの電極が選択されたか、選択された電極の極性、すなわち、プログラムに対する電極の組み合わせ、および電圧または電流の振幅、パルス周波数、パルス幅、電極によって送達される刺激のパルス形状を特定する情報を含んでいてもよい。各ＥＣＡＰ試験刺激プログラムのパラメータによって定義された刺激信号（例えば、１つ以上の刺激パルスまたは連続刺激波形）は、神経から複合活動電位を誘発するように構成されている。いくつかの例では、ＥＣＡＰ試験刺激プログラムは、通知パルスの周波数および／またはパルス幅に基づいて、制御パルスがいつ患者に送達されるかを定義することができる。しかしながら、各ＥＣＡＰ試験刺激プログラムによって定義される刺激は、患者の治療を提供、またはこれに寄与することを目的としてはいない。制御パルスが患者に貢献するか、または患者に治療を提供する例では、ＥＣＡＰ試験刺激プログラムもまた、治療刺激プログラムの代わりに、またはそれと同じように使用され得る。
【００３３】
図１は、例えば、疼痛の治療に使用されるＳＣＳ療法を対象としているが、他の例では、システム１００は、電気刺激療法の恩恵を受ける可能性のある他のいずれかの状態を治療するように構成されてもよい。例えば、システム１００は、振戦、パーキンソン病、てんかん、骨盤底障害（例えば、尿失禁または他の膀胱機能障害、便失禁、骨盤痛、腸機能障害、または性機能障害）、肥満、胃麻痺、または精神障害（例えば、うつ病、躁病、強迫性障害、不安障害など）を治療するために使用されてもよい。一態様において、システム１００は、深部脳刺激（ＤＢＳ）、末梢神経刺激（ＰＮＳ）、末梢神経野刺激（ＰＮＦＳ）、皮質刺激（ＣＳ）、骨盤底刺激、胃腸刺激、または患者１０５の状態を治療することが可能ないずれかの他の刺激療法の形態をとる治療を提供するように構成されていてもよい。
【００３４】
いくつかの例では、リード１３０は、ＩＭＤ１１０が、患者の活動、圧力、温度、または他の特性など、患者１０５の１つ以上のパラメータを監視できるように構成されている１つ以上のセンサを含んでいてもよい。リード１３０による治療送達に加えて、またはその代わりに、１つ以上のセンサを提供してもよい。
【００３５】
ＩＭＤ１１０は、リード１３０の一方または両方が有する電極の選択された組み合わせを用いて、単独で、またはＩＭＤ１１０の外部ハウジングが有するか、またはそれによって定義される電極と組み合わせて、電気刺激療法を患者１０５に送達するように構成されている。電気刺激療法の標的組織は、電気刺激の影響を受けるいずれかの組織であり得、これは、電気刺激パルスまたは連続波形の形態であり得る。いくつかの例では、標的組織は、神経、平滑筋または骨格筋を含む。図１によって例示される例では、標的組織は、脊髄１２０に近接した組織であり、例えば脊髄１２０の髄腔内空間または硬膜外空間内、またはいくつかの例では、脊髄１２０から分岐する隣接神経である。リード１３０は、胸部、頸部、または腰部などのいずれかの好適な部位を介して、脊髄１２０に導入することができる。脊髄１２０の刺激は、例えば、疼痛信号が脊髄１２０を通って患者１０５の脳に伝わるのを防ぐことができる。患者１０５は、疼痛信号の中断を疼痛の軽減として知覚する可能性があり、したがって、効果的な治療結果が得られる。他の例では、脊髄１２０の刺激は、患者１０５による疼痛の知覚を減少させ得る知覚異常を引き起こすことがあり、したがって、効果的な治療結果を提供することができる。
【００３６】
ＩＭＤ１１０は、１つ以上の治療刺激プログラムに従って、患者１０５に対するリード１３０への電極を用いて、電気刺激治療を生成し、患者１０５内の標的刺激部位に送達する。治療刺激プログラムは、そのプログラムに従ってＩＭＤ１１０によって送達される治療の態様を定義する１つ以上のパラメータの値を定義する。例えば、パルスの形態でＩＭＤ１１０による刺激の送達を制御する治療刺激プログラムは、そのプログラムに従って、ＩＭＤ１１０によって送達される刺激パルスの電圧または電流パルス振幅、パルス幅、およびパルスレート（例えば、パルス周波数）の値を定義することができる。治療刺激プログラムは、これらのパルスが患者の治療効果（例えば、知覚異常、疼痛遮断など）に寄与するように構成されている場合、制御パルスおよび／または通知パルスを定義することができる。
【００３７】
さらに、ＩＭＤ１１０は、リード１３０の電極の組み合わせを用いて、単独で、またはＩＭＤ１１０の外部ハウジングが有するか、またはそれによって定義される電極と組み合わせて、制御刺激を患者１０５に送達するように構成されている。制御刺激によって標的とされる組織は、電気刺激療法によって標的とされる同じ組織であり得るが、ＩＭＤ１１０は、同じ、少なくともいくつかの同じ、または異なる電極を用いて制御パルスを送達してもよく、検出可能なＥＣＡＰ信号を誘発することを目的としてもよい。この制御刺激は、患者の治療効果に寄与する場合もあれば（例えば、治療刺激）、寄与しない場合もある（例えば、非治療刺激）。制御パルスは、通知パルスとインターリーブされた方法で送達できるので、臨床医および／またはユーザは、通知パルスに対していずれかの所望の電極の組み合わせを選択することができる。電気刺激療法と同様に、制御刺激は、電気刺激パルスまたは連続波形の形をとることができる。一例では、各制御パルスは、能動的な再充電相を使用する平衡二相方形パルスを含み得る。しかしながら、他の例では、制御パルスは、受動的な再充電相が続く単相パルスを含み得る。他の例では、制御パルスは、不均衡な二相部分および受動的な再充電部分を含み得る。必須ではないが、二相制御パルスは、二相パルスの第１の相に応じて、神経インパルスの伝播を促進するために、正相と負相との間に相間間隔を含み得る。制御刺激は、連続する通知パルス間のウィンドウの間など、電気刺激通知パルスの送達を中断することなく送達され得る。制御パルスは、組織からＥＣＡＰ信号を誘発することができ、ＩＭＤ１１０は、リード１３０上の２つ以上の電極を用いてＥＣＡＰ信号を感知することができる。制御パルスが脊髄１２０に適用される場合、信号は、脊髄１２０からＩＭＤ１１０によって感知され得る。本明細書で考察されるように、制御刺激は、単独でまたは部分的に、患者が受ける治療効果に寄与し得る。言い換えれば、制御パルスは、いくつかの例では、追加の通知パルスなしで治療を提供するために送達されてもよい。制御パルスのみが患者に治療を提供することができる例では、制御刺激は、その患者の治療刺激であり得る。
【００３８】
ＩＭＤ１１０は、１つ以上のＥＣＡＰ試験刺激プログラムに従って、リード１３０の電極を用いて、患者１０５内の標的刺激部位に制御刺激を送達する。１つ以上のＥＣＡＰ試験刺激プログラムは、ＩＭＤ１１０のメモリに記憶され得る。１つ以上のＥＣＡＰ試験刺激プログラムの各ＥＣＡＰ試験プログラムは、電流または電圧振幅、パルス幅、パルス周波数、電極の組み合わせ、およびいくつかの例では、患者１０５に送達される通知パルスに基づくタイミングなど、そのプログラムに従ってＩＭＤ１１０によって送達される制御刺激の態様を定義する１つ以上のパラメータの値を含む。いくつかの例では、ＩＭＤ１１０は、複数のＥＣＡＰ試験刺激プログラムに従って、制御刺激を患者１０５に送達する。
【００３９】
臨床医または患者１０５などのユーザは、外部プログラマ１５０のユーザインターフェースと相互作用して、ＩＭＤ１１０をプログラムすることができる。ＩＭＤ１１０のプログラミングは、一般に、ＩＭＤ１１０の動作を制御するためのコマンド、プログラム、または他の情報の生成および転送を指す場合がある。このようにして、ＩＭＤ１１０は、電気刺激療法（例えば、通知パルス、およびいくつかの例では制御パルス）および制御刺激（例えば、制御パルス）を制御するために、プログラマ１５０から転送されたコマンドおよびプログラムを受信することができる。例えば、外部プログラマ１５０は、例えば無線テレメトリまたは有線接続によって、ＩＭＤ１１０の動作を制御するために、治療刺激プログラム、ＥＣＡＰ試験刺激プログラム、刺激パラメータ調整、治療刺激プログラム選択、ＥＣＡＰ試験プログラム選択、ユーザ入力、または他の情報を送信することができる。
【００４０】
場合によっては、外部プログラマ１５０は、それが主に医師または臨床医による使用を目的としている場合、医師または臨床医プログラマとして特徴付けられてもよい。他の場合において、外部プログラマ１５０は、それが主に患者による使用を目的としている場合、患者プログラマとして特徴付けられてもよい。患者プログラマは、一般に、患者１０５にとって利用しやすく、また、多くの場合、患者の日常生活を通して患者１０５に携えられ得る携帯型デバイスであってもよい。例えば、患者プログラマは、患者が電気刺激療法を終了または変更したいときに、患者１０５からの入力を受信することができる。一般に、医師または臨床医プログラマは、ＩＭＤ１１０が使用するための臨床医によるプログラムの選択および生成をサポートすることができるが、患者プログラマは、通常の使用中に患者によるそのようなプログラムの調整および選択をサポートすることができる。他の例では、外部プログラマ１５０は、ＩＭＤ１１０の電源を再充電する外部充電デバイスを含むか、またはその一部であってもよい。このようにして、ユーザは、１つのデバイスまたは複数のデバイスを使用して、ＩＭＤ１１０をプログラムおよび充電することができる。
【００４１】
本明細書で説明するように、情報は、外部プログラマ１５０とＩＭＤ１１０との間で送信され得る。したがって、ＩＭＤ１１０およびプログラマ１５０は、当技術分野で知られているいずれかの技術を使用する無線通信を用いて通信することができる。通信技術の例には、例えば、無線周波数（ＲＦ）テレメトリおよび誘導結合が含まれ得るが、他の技術もまた企図される。いくつかの例では、プログラマ１５０は、ＩＭＤ１１０とプログラマ１５０との間の通信の品質またはセキュリティを改善するために、ＩＭＤ１１０埋め込み部位の近くで患者の身体に近接して定置され得る通信ヘッドを含んでいてもよい。プログラマ１５０とＩＭＤ１１０との間の通信は、動力伝達中に、または動力伝達とは別に発生してもよい。
【００４２】
いくつかの例では、ＩＭＤ１１０は、外部プログラマ１５０からの命令に応じて、リード１３０上の電極（図示せず）を用いて、複数の治療刺激プログラムに従って、患者１０５の脊髄１２０の標的組織部位に電気刺激治療を提供する。いくつかの例では、ＩＭＤ１１０は、患者１０５の治療ニーズが経時的に進化するにつれて、治療刺激プログラムを変更してもよい。例えば、治療刺激プログラムの変更は、複数の通知パルスの少なくとも１つのパラメータの調整を引き起こし得る。患者１０５が同じ治療を長期間受けると、治療の有効性が低下する可能性がある。場合によっては、複数の通知パルスのパラメータは、自動的に更新され得る。
【００４３】
本開示において、電気刺激療法の有効性は、ＩＭＤ１１０（つまり、ＥＣＡＰ信号の特性）によって送達される刺激パルスにより誘発される活動電位の１つ以上の特性（例えば、１つ以上のピークの振幅またはその間の振幅、または１つ以上のピークの曲線下の領域）によって示されてもよい。ＩＭＤ１１０のリード１３０による電気刺激療法の送達は、標的組織内のニューロンに、標的組織を上下に移動する複合活動電位を引き起こし、最終的にＩＭＤ１１０の感知電極に到達してもよい。さらに、制御刺激はまた、少なくとも１つのＥＣＡＰを誘発してもよく、制御刺激に応答するＥＣＡＰはまた、治療の有効性の代理であってもよい。誘発される活動電位の量（例えば、活動電位信号を伝播するニューロンの数）は、振幅、パルス幅、周波数、パルス形状（例えば、パルスの開始および／または終了時のスルーレート）などの電気刺激パルスの様々なパラメータに基づいていてもよい。スルーレートは、各パルスまたはパルス内の各位相の開始および／または終了時におけるパルスの電圧および／または電流振幅の変化率を定義することができる。例えば、非常に高いスルーレートは、パルスの急峻な、または垂直に近いエッジを示し、低いスルーレートは、パルスの振幅のより長い増加（または減少）を示している。いくつかの例では、これらのパラメータは、電気刺激の強度に寄与してもよい。加えて、ＥＣＡＰ信号の特性（例えば、振幅）は、刺激電極と、送達された制御パルスによって生成される電場にさらされる神経との間の距離に基づいて変化してもよい。
【００４４】
一例では、各通知パルスは、いくつかの例において約３００μｓ〜１０００μｓ（すなわち、１ミリ秒）の間など、約３００μｓ超のパルス幅を有し得る。これらのパルス幅では、通知パルスもＥＣＡＰ信号を不明瞭にするアーチファクトとして検出されるため、ＩＭＤ１１０はＥＣＡＰ信号を十分に検出できない場合がある。ＥＣＡＰが適切に記録されていない場合、ＩＭＤ１１０に到達したＥＣＡＰを目標ＥＣＡＰ特性（例えば、目標ＥＣＡＰ振幅）と比較することはできず、電気療法刺激を応答するＥＣＡＰに従って変更することができない。通知パルスがこれらのより長いパルス幅を有する場合、ＩＭＤ１１０は、制御パルスの形で制御刺激を送達することができる。制御パルスは、各相が約１００μｓの持続時間を有する二相パルスなど、約３００μｓ未満のパルス幅を有していてもよい。制御パルスは、通知パルスよりも短いパルス幅を有し得るため、ＥＣＡＰ信号は、各制御パルスの後に感知および特定され、通知パルス（およびいくつかの例では制御パルス）に対して行われるべき変更についてＩＭＤ１１０に通知するために使用され得る。いくつかの例では、少なくともいくつかの通知パルスは、約３００μｓ未満のパルス幅を有していてもよい。そのような例では、通知パルスとインターリーブされた制御パルスは、通知パルスのパルス幅よりも短いパルス幅を有していてもよい。他の例では、制御パルスは、通知パルスのパルス幅よりも大きいパルス幅を有していてもよい。一般に、「パルス幅」という用語は、単一パルスの各位相の集合的な持続時間、および適切な場合には相間間隔を指す。単一のパルスは、いくつかの例では単一の位相（すなわち、単相パルス）、または他の例では２相以上の位相（例えば、二相パルスまたは三相パルス）を含んでいてもよい。パルス幅は、パルスの最初の位相の開始時間から始まり、パルスの最後の位相の終了時間までの期間を定義する（例えば、１００μｓ続く正相、１００μｓ続く負相、および３０μｓ続く相間間隔を有する二相パルスは、２３０μｓのパルス幅を定義する）。
【００４５】
説明したように、通知パルスの刺激パラメータ値を調整するための例示的な技術は、測定ＥＣＡＰ信号の特性の値を目標ＥＣＡＰ特性値と比較することに基づいている。１つ以上のＥＣＡＰ試験刺激プログラムによって定義される制御パルスの送達中に、ＩＭＤ１１０は、リード１３０に挿入された２つ以上の電極を用いて、患者１０５の脊髄１２０の組織の電位を感知して、組織の電気的活動を測定する。ＩＭＤ１１０は、例えば、１つ以上のリード１３０上の電極および関連する感知回路を用いて、患者１０５の標的組織からのＥＣＡＰを感知する。いくつかの例では、ＩＭＤ１１０は、患者１０５の内部または外部の１つ以上のセンサ、例えば１つ以上の電極および回路からＥＣＡＰを示す信号を受信する。そのような例示的な信号は、患者１０５の組織のＥＣＡＰを示す信号を含んでいてもよい。１つ以上のセンサの例には、患者１０５の複合活動電位、または複合活動電位を示す生理学的効果を測定するように構成されている１つ以上のセンサが含まれる。例えば、複合活動電位の生理学的効果を測定するために、１つ以上のセンサは、加速度計、圧力センサ、屈曲センサ、患者１０５の姿勢を検出するように構成されているセンサ、または患者１０５の呼吸機能を検出するように構成されているセンサであってもよい。しかしながら、他の例では、外部プログラマ１５０は、患者１０５の標的組織における複合活動電位を示す信号を受信し、ＩＭＤ１１０に通知を送信する。
【００４６】
図１の例では、ＩＭＤ１１０は、複数の処理および計算機能を実行するものとして説明されている。しかしながら、外部プログラマ１５０は、代わりに、これらの機能の１つ、いくつか、またはすべてを実行してもよい。この代替例では、ＩＭＤ１１０は、感知された信号を分析のために外部プログラマ１５０に中継するように機能し、外部プログラマ１５０は、感知された信号の分析に基づいて電気刺激療法を定義する１つ以上のパラメータを調整するようにＩＭＤ１１０に指示を送信する。例えば、ＩＭＤ１１０は、ＥＣＡＰを示す感知された信号を外部プログラマ１５０に中継してもよい。外部プログラマ１５０は、ＥＣＡＰのパラメータ値を目標ＥＣＡＰ特性値と比較することができ、比較に応じて、外部プログラマ１５０は、患者１０５に送達される電気刺激通知パルスおよびいくつかの例では制御パルスを定義する１つ以上のパラメータを調整するようにＩＭＤ１１０に指示してもよい。
【００４７】
本開示で説明される例示的な技術では、制御刺激パラメータおよび目標ＥＣＡＰ特性値は、最初は診療所で設定されてもよいが、患者１０５によって自宅で設定および／または調整されてもよい。目標ＥＣＡＰ特性値が設定されると、例示的な技術では、電極からニューロンまでの距離が変化した場合に、通知パルスパラメータを自動的に調整することが可能になり、神経活性化の一貫した量、および患者の治療の一貫した知覚が維持される。刺激パラメータ値を変更する能力はまた、測定ＥＣＡＰ値を目標ＥＣＡＰ特性値と比較することによって、刺激の強度（例えば、ＥＣＡＰによって示される）を一貫して維持する能力とともに、治療が長期的な有効性を有することを可能にし得る。ＩＭＤ１１０は、医師または患者１０５による介入なしにこれらの変更を実行してもよい。
【００４８】
いくつかの例では、システムは、ある期間にわたって目標ＥＣＡＰ特性値を変更してもよい。システムは、通知パルスの強度を調整して、患者に様々な感覚を提供するために（例えば、神経活性化の量を増加または減少させる）、目標ＥＣＡＰ特性を変更するようにプログラムされてもよい。一例では、システムは、患者に治療上の救済を提供し得る波または他の感覚として知覚され得る感覚を患者に提供するために、所定の周波数で最大目標ＥＣＡＰ特性値と最小目標ＥＣＡＰ特性値との間で目標ＥＣＡＰ特性値を変動させるようにプログラムされてもよい。最大目標ＥＣＡＰ特性値、最小目標ＥＣＡＰ特性値、および所定の周波数は、ＩＭＤ１１０のメモリに記憶することができ、外部プログラマ１５０からの信号（例えば、ＩＭＤ１１０のメモリ内に記憶されている値を変更するためのユーザ要求）に応じて更新することができる。他の例では、目標ＥＣＡＰ特性値は、ある期間にわたって基本目標ＥＣＡＰ特性値まで着実に増加または着実に減少するようにプログラムしてもよい。他の例では、外部プログラマ１５０は、他の所定の機能またはパターンに従って、経時的に自動的に変化するように、目標ＥＣＡＰ特性値をプログラムすることができる。換言すれば、目標ＥＣＡＰ特性値は、所定の量または所定の割合によって漸進的に変化するようにプログラムしてもよく、所定の量または割合は、所定の関数（例えば、正弦関数、ランプ関数、指数関数、対数関数、など）に従って選択される。目標ＥＣＡＰ特性値を変更する増分は、特定のパルス数または特定の時間単位ごとに変更してもよい。システムは目標ＥＣＡＰ特性値を変更することができるが、目標ＥＣＡＰ特性値を満たすために、受信したＥＣＡＰ信号は、通知パルスおよび／または制御パルスの１つ以上のパラメータ値を調整するのにシステムによって依然として使用され得る。
【００４９】
図２Ａは、ＩＭＤ２００のブロック図である。ＩＭＤ２００は、図１のＩＭＤ１１０の一例であり得る。図２Ａに示される例では、ＩＭＤ２００は、処理回路２１４、メモリ２１５、刺激発生器２１１、感知回路２１２、テレメトリ回路２１３、センサ２１６、および電源２１９を含む。これらの回路のそれぞれは、それぞれの回路に起因する機能を実行するように構成されているプログラム可能なまたは固定された機能回路であり得るか、またはそれらを含み得る。例えば、処理回路２１４は、固定機能またはプログラム可能な回路を含んでもよく、刺激発生器２１１は、パルスまたは連続波形のような刺激信号を１つ以上のチャネルで生成するように構成されている回路を含んでもよく、感知回路２１２は、信号を感知するための感知回路を含んでもよく、テレメトリ回路２１３は、信号を送受信するためのテレメトリ回路を含んでもよい。メモリ２１５は、処理回路２１４によって実行されると、ＩＭＤ２００に様々な機能を実行させるコンピュータ可読命令を格納することができる。メモリ２１５は、記憶デバイスまたは他の非一時的な媒体であり得る。
【００５０】
図２Ａに示される例では、メモリ２１５は、治療刺激プログラム２１７およびＥＣＡＰ試験刺激プログラム２１８を、メモリ２１５内の別個のメモリ、またはメモリ２１５内の別個の領域に格納する。メモリ２１５はまた、目標ＥＣＡＰフィードバックルール２２１および患者ＥＣＡＰ特性２２２を記憶する。各記憶された治療刺激プログラム２１７は、刺激電極の組み合わせ、電極の極性、電流または電圧の振幅、パルス幅、パルスレート、およびパルス形状などの電気刺激パラメータの集合（例えば、パラメータ集合またはパラメータ値の集合）に対する値を定義する。各記憶された各ＥＣＡＰ試験刺激プログラム２１８は、刺激電極の組み合わせ、電極の極性、電流または電圧の振幅、パルス幅、パルスレート、およびパルス形状などの電気刺激パラメータの集合（例えば、制御刺激パラメータ集合）に対する値を定義する。ＥＣＡＰ試験刺激プログラム２１８はまた、治療刺激プログラム２１７内で定義された通知パルスのパルス幅および／または周波数に基づいて、制御パルスをいつ送達するかに関する指示などの追加情報を有していてもよい。
【００５１】
したがって、いくつかの例では、刺激発生器２１１は、上記の電気刺激パラメータに従って、電気刺激信号を生成する。パラメータ値の他の範囲も有用であり得、患者１０５内の標的刺激部位に依存し得る。刺激パルスが説明されているが、刺激信号は、連続時間信号（例えば、正弦波）などのいずれかの形態であり得る。スイッチ回路２１０は、１つ以上のスイッチアレイ、１つ以上のマルチプレクサ、１つ以上のスイッチ（例えば、スイッチマトリックスまたは他の一群のスイッチ）、または刺激発生器２１１からの刺激信号を１つ以上の電極２３２、２３４に向けるように構成されている他の電気回路、または１つ以上の電極２３２、２３４からの感知信号を感知回路２１２に向けるように構成されている他の電気回路を含んでもよい。他の例では、刺激発生器２１１および／または感知回路２１２は、スイッチ回路２１０を含んでもよいし、含まなくてもよい電極２３２、２３４のうちの１つ以上に信号を向けるための感知回路を含んでもよい。
【００５２】
処理回路２１４は、マイクロプロセッサ、コントローラ、デジタル信号プロセッサ（ＤＳＰ）、特定用途向け集積回路（ＡＳＩＣ）、フィールドプログラマブルゲートアレイ（ＦＰＧＡ）、ディスクリート論理回路、または本明細書において処理回路２１４に起因する機能を提供するように構成されている他の処理回路のうちのいずれか１つ以上を含んでもよく、ファームウェア、ハードウェア、ソフトウェア、またはそれらのいずれかの組み合わせとして具現化されてもよい。処理回路２１４は、刺激発生器２１１を制御して、メモリ２１５に格納された治療刺激プログラム２１７およびＥＣＡＰ試験刺激プログラム２１８に従って刺激信号を生成し、刺激信号の各々の振幅、パルス幅、パルスレート、およびパルス形状など、プログラムのうちの１つ以上によって指定された刺激パラメータ値を適用する。
【００５３】
図２Ａに示される例では、電極２３２の集合は、電極２３２Ａ、２３２Ｂ、２３２Ｃ、および２３２Ｄを含み、電極２３４の集合は、電極２３４Ａ、２３４Ｂ、２３４Ｃ、および２３４Ｄを含む。他の例では、単一のリードは、リードの単一の軸方向の長さに沿って、８つの電極２３２および２３４すべてを含み得る。処理回路２１４はまた、刺激発生器２１１を制御して、刺激信号を生成し、電極２３２、２３４の選択された組み合わせに印加する。いくつかの例では、刺激発生器２１１は、リード２３０内の選択された導線に刺激信号を結合することができるスイッチ回路（スイッチ回路２１０の代わりに、またはこれに加えて）を含み、これにより、刺激信号は次に、選択された電極２３２、２３４を介して送達される。そのようなスイッチ回路は、選択された電極２３２、２３４に刺激エネルギーを選択的に結合し、選択された電極２３２、２３４で患者の脊髄（図２Ａには図示せず）の生体電気的神経信号を選択的に感知するように構成されているスイッチアレイ、スイッチマトリックス、マルチプレクサ、またはいずれかの他のタイプのスイッチング回路であってもよい。
【００５４】
しかしながら、他の例では、刺激発生器２１１は、スイッチ回路を含まず、スイッチ回路２１２は、刺激発生器２１１と電極２３２、２３４との間をインターフェース接続しない。これらの例では、刺激発生器２１１は、電極の各対が固有の信号回路を有するように、電極２３２、２３４の各々に接続された電圧源、電流源、電圧シンク、または電流シンクの複数の対を含む。言い換えれば、これらの例では、電極２３２、２３４の各々は、電極２３２、２３４間の信号の切り替えとは対照的に、それ自体の信号回路を用いて（例えば、調整された電圧源とシンク、または調整された電流ソースとシンクの組み合わせを用いて）独立して制御される。
【００５５】
それぞれのリード線２３０上の電極２３２、２３４は、様々な異なる設計で構成され得る。例えば、リード２３０の一方または両方は、リードの長さに沿った各長手方向位置に１つ以上の電極、例えば、リードの周囲の異なる周囲の位置における１つの電極を、位置Ａ、位置Ｂ、位置Ｃ、および位置Ｄの各々において含むことができる。一例では、電極は、例えば、スイッチ回路２１０および／または刺激発生器２１１のスイッチング回路を用い、リードのハウジング内で直線状またはコイル状であり、リードの近位端にあるコネクタまで延びるそれぞれのワイヤを用いて、刺激発生器２１１に電気的に結合されていてもよい。別の例では、リードの電極の各々は、薄膜上に堆積された電極であってもよい。薄膜は、近位端コネクタまで薄膜の全長にわたる各電極のための導電性トレースを含んでいてもよい。次いで、薄膜を内部部材の周りに巻き付けて（例えば、らせん状の巻き付け）、リード２３０を形成してもよい。これらおよび他の構造を使用して、複雑な電極形状のリードを作製することができる。
【００５６】
感知回路２１２は、図２Ａの刺激発生器２１１および処理回路２１４を有する共通のハウジングに組み込まれるが、他の例では、感知回路２１２は、ＩＭＤ２００とは別のハウジング内にあってもよく、有線または無線通信技術を用いて処理回路２１４と通信してもよい。
【００５７】
いくつかの例では、電極２３２および２３４のうちの１つ以上が、ＥＣＡＰを感知するのに好適であり得る。例えば、電極２３２および２３４は、ＥＣＡＰ信号の一部分の電圧振幅を感知することができ、ここで、感知された電圧振幅は、ＥＣＡＰ信号の特性である。
【００５８】
センサ２１６は、それぞれの患者パラメータの値を感知する１つ以上の感知素子を含んでいてもよい。説明したように、電極２３２および２３４は、ＥＣＡＰのパラメータ値を感知する電極であってもよい。センサ２１６は、１つ以上の加速度計、光学センサ、化学センサ、温度センサ、圧力センサ、またはいずれかの他のタイプのセンサを含み得る。センサ２１６は、治療の送達を制御するためのフィードバックとして使用され得る患者パラメータ値を出力することができる。例えば、センサ２１６は、患者の活動を示すことができ、処理回路２１４は、増加した患者の活動の検出に応じて、制御パルスおよびＥＣＡＰの感知の頻度を増加させることができる。一例では、処理回路２１４は、患者の活動が活動閾値を超えたことを示すセンサ２１６からの信号に応じて、制御パルスおよび対応するＥＣＡＰ感知を開始することができる。逆に、処理回路２１４は、減少した患者の活動の検出に応じて、制御パルスおよびＥＣＡＰの感知の頻度を減少させることができる。例えば、感知された患者の活動が閾値を超えたことをもはや示さないセンサ２１６に応じて、処理回路２１４は、制御パルスおよびＥＣＡＰの感知の送達を一時停止または停止することができる。このようにして、処理回路２１４は、制御パルスを動的に送達し、患者の活動に基づいてＥＣＡＰ信号を感知して、電極からニューロンまでの距離が変化する可能性が低いときにシステムの電力消費を減らし、電極からニューロンまでの距離が変化する可能性があるときにＥＣＡＰの変化に対するシステムの応答を増加させることができる。ＩＭＤ２００は、ＩＭＤ２００のハウジング内に、かつ／またはリード１３０あるいは他のリードのうちの１つを用いて結合された追加のセンサを含んでいてもよい。加えて、ＩＭＤ２００は、例えば、テレメトリ回路２１３を用いて、リモートセンサから無線でセンサ信号を受信することができる。いくつかの例では、これらのリモートセンサのうちの１つ以上は、患者の外部にあってもよい（例えば、皮膚の外表面上に装着されるか、衣服に取り付けられるか、またはそうでなければ患者の外部に配置される）。いくつかの例では、センサ２１６からの信号は、位置または身体状態（例えば、寝ている、起きている、座っている、立っているなど）を示してもよく、処理回路２１４は、示された位置または身体状態に従って目標ＥＣＡＰ特性値を選択してもよい。
【００５９】
テレメトリ回路２１３は、処理回路２１４の制御下で、ＩＭＤ２００と外部プログラマ（図２Ａには図示せず）または別のコンピューティングデバイスとの間の無線通信をサポートする。ＩＭＤ２００の処理回路２１４は、プログラムの更新として、テレメトリ回路２１３を用いて、外部プログラマから振幅および電極の組み合わせなどの様々な刺激パラメータの値を受信することができる。治療刺激プログラム２１７およびＥＣＡＰ試験刺激プログラム２１８に対する更新は、メモリ２１５内に記憶されてもよい。ＩＭＤ２００のテレメトリ回路２１３、ならびに外部プログラマなど、本明細書に記載の他のデバイスおよびシステムのテレメトリ回路は、無線周波数（ＲＦ）通信技術によって通信を達成することができる。加えて、テレメトリ回路２１３は、ＩＭＤ２００と外部プログラマとの近位誘導的相互作用を用いて、外部医療デバイスプログラマ（図２Ａには図示せず）と通信することができる。外部プログラマは、図１の外部プログラマ１５０の一例であり得る。したがって、テレメトリ回路２１３は、継続的に、定期的な間隔で、またはＩＭＤ１１０もしくは外部プログラマからの要求に応じて、外部プログラマに情報を送信することができる。
【００６０】
電源２１９は、ＩＭＤ２００の様々な構成要素に動作電力を送達する。電源２１９は、動作電力を生成するための、再充電式または非再充電式電池、および発電回路を含み得る。再充電は、外部充電器とＩＭＤ２００内の誘導充電コイルとの間の近位誘導的相互作用を介して達成することができる。他の例では、従来の一次電池を使用することができる。
【００６１】
本開示の技術によれば、ＩＭＤ２００の刺激発生器２１１は、テレメトリ回路２１３を用いて、患者の脊髄の標的組織部位に治療刺激プログラム２１７に従って電気刺激治療を、リード線２３０の電極２３２、２３４および／またはＩＭＤ２００のハウジングの複数の電極の組み合わせを用いて送達するための指示を受け取る。刺激発生器２１１は、テレメトリ回路２１３を用いて、ＥＣＡＰ試験刺激プログラム２１８に従って、制御刺激を患者に送達するためのユーザ命令を受信することができる。複数の制御パルスの各パルスは、電極２３２および２３４のうちのいくつかを用いて、感知回路２１２によって感知されるＥＣＡＰを誘発することができる。ＥＣＡＰ試験刺激プログラム２１８は、刺激発生器２１１に、複数の通知パルスの少なくともいくつかとインターリーブされた複数の制御パルスを送達するように指示することができる。処理回路２１４は、感知回路２１２によって感知された電気信号を用いて、制御刺激に応じて生成されたＥＣＡＰ信号を示す情報（例えば、電圧または電力などの電気単位におけるＥＣＡＰの特性を示す数値）を受信することができる。治療刺激プログラム２１７は、以下の技術に従って、感知回路２１２で記録されたＥＣＡＰに従って更新され得る。
【００６２】
一例では、複数の通知パルスは各々、約３００μｓ超であり、約２０００μｓ未満（すなわち、２ミリ秒）のパルス幅を有する。いくつかの例では、通知パルス幅は、約３００μｓ超であり、約８００μｓ未満である。別の例では、通知パルス幅は、約３００μｓ超であり、約５００μｓ未満である。一例では、通知パルスは、約４５０μｓのパルス幅および約６０ヘルツのパルス周波数を有する。通知パルスの振幅（電流および／または電圧）は、約０．５ｍＡ（またはボルト）〜約１０ｍＡ（またはボルト）の間であってもよく、他の例では、振幅はより低くても、より大きくてもよい。いくつかの例では、システムは、２つ以上の刺激プログラムからの通知パルスを送達することができ、それにより、ある刺激プログラムからの通知パルスは、別の刺激プログラムからの通知パルスとは異なる少なくとも１つのパラメータ値を有する。
【００６３】
複数の制御パルスの各制御パルスは、約３００μｓ未満のパルス幅を有していてもよい。一例では、複数の制御パルスの各制御パルスは、約１００μｓの幅を有する正相、約１００μｓの幅を有する負相、および約３０μｓの幅を有する相間間隔を有する二相パルスであってもよい。いくつかの例では、正相および負相は、他の例では各々９０μｓまたは１２０μｓであり得る。他の例では、制御パルスは各々、約６０μｓ以下のパルス幅を有し得る。複数の通知パルスのパルス幅が比較的長いため、通知パルス自体がＥＣＡＰ信号中に発生し、ＥＣＡＰ信号を不明瞭にするため、感知回路２１２は、通知パルスから誘発されたＥＣＡＰ信号を適切に記録することができない場合がある。しかしながら、複数の制御パルスなどの約３００マイクロ秒未満のパルス幅を有する刺激パルスは、電極２３２、２３４のうちの２つ以上を用いて、感知回路２１２において制御パルスが完了した後に、感知され得るＥＣＡＰを誘発することに適している場合もある。いくつかの例では、制御パルスは、制御パルスが患者の治療に寄与しないという点で、非治療パルスであり得る。他の例では、制御パルスは、患者の症状および／または状態を低減または排除することによって、患者が受ける治療を完全に提供するか、または部分的に寄与することができる。
【００６４】
検出可能なＥＣＡＰ信号を誘発する目的で送達される制御パルスは、いくつかの例では、約６ｍＡ〜１２ｍＡの間の電流振幅を有し得るが、他の例では、より高い、またはより低い振幅が使用され得る。制御パルスの周波数は、いくつかの例では、約５０ヘルツ〜４００ヘルツの間であってもよく、これは、各治療パルスに対して１つの制御パルスが送達されるときの通知パルスの所定のパルス周波数と一致し得る。所定のパルス周波数は、単一の周波数または経時的に変化する周波数であってもよい（例えば、パルス間隔は、所定のパターン、式、または予定に従って、経時的に変化してもよい）。いくつかの例では、システムは、患者の入力、または患者の姿勢または活動などの感知されたパラメータに基づいて、所定のパルス周波数を変更することができる。そのような関係は、制御パルスが通知パルスと完全にインターリーブされる（例えば、交互になる）ときに存在し得る。しかしながら、制御パルスの周波数は、２つ以上の制御パルスが連続する通知パルスの間に送達される場合、その通知パルスよりも高い周波数で送達され得る。他の例では、制御パルスの周波数は、少なくともいくつかの通知パルスがそれらの間に送達される制御パルスなしで送達される場合、通知パルスよりも低い周波数で送達され得る。制御パルスの周波数は、患者の活動などの他の要因に基づいて、制御パルスの送達、および結果として生じるＥＣＡＰ感知を調整するようにシステムが構成されている場合、経時的に変化する周波数で送達され得る。
【００６５】
一例では、複数の通知パルスの所定のパルス周波数は、約４００ヘルツ未満であり得る。いくつかの例では、複数の通知パルスの所定のパルス周波数は、約５０ヘルツ〜７０ヘルツの間であり得る。一例では、複数の通知パルスの所定のパルス周波数は、約６０ヘルツであり得る。しかしながら、通知パルスは、他の例では、４００ヘルツ超または５０ヘルツ未満の周波数を有し得る。いくつかの例では、通知パルスの所定のパルス周波数は、単一の周波数、または経時的に変化する周波数であり得る。加えて、通知パルスは、パルスのバーストで送達されてもよく、パルスのバースト間周波数は十分に低いので、そのため、制御パルスおよび感知されたＥＣＡＰは、通知パルスのバースト内で送達される連続する通知パルス間のウィンドウ内に依然として収まることができる。
【００６６】
複数の通知パルスのうちの各通知パルスは、少なくとも１つのＥＣＡＰの感知を隠すか、または不明瞭にするアーチファクトとして感知され得るので、複数の制御パルスは、複数の時間イベント中に患者に送達され得る。例えば、複数の時間イベントのうちの時間イベント（例えば、ウィンドウ）は、所定のパルス周波数での複数の通知パルスの連続する通知パルス間の時間（例えば、ウィンドウ）であってもよい。複数の制御パルスのうちの１つ以上の制御パルスは、各時間イベント中に患者に送達されてもよい。結果として、制御パルスは、通知パルスが送達されない間、複数の制御パルスが患者に送達されるように、通知パルスの少なくともいくつかとインターリーブされてもよい。一例では、時間イベント中に送達された制御パルスから誘発されたＥＣＡＰは、同じ時間イベント中に感知回路２１２によって記録されてもよい。別の例では、時間イベント中に送達された２つ以上のそれぞれの制御パルスに応答する２つ以上のＥＣＡＰは、同じ時間イベント中に感知回路２１２によって記録されてもよい。
【００６７】
いくつかの例では、治療刺激プログラム２１７は、ＥＣＡＰ試験刺激プログラム２１８に従って患者に送達される複数の制御パルスに応じて受信された複数のＥＣＡＰに従って更新されてもよい。例えば、処理回路２１４は、感知回路２１２によって感知されたＥＣＡＰの１つ以上の特性を、メモリ２１５に記憶された目標ＥＣＡＰ特性（例えば、患者のＥＣＡＰ特性２２２）と比較することによって、治療刺激プログラム２１７をリアルタイムで更新することができる。例えば、処理回路２１４は、感知回路２１２で受信された各ＥＣＡＰ信号の振幅を判定するように構成され、処理回路２１４は、さらに、少なくとも１つのそれぞれのＥＣＡＰ信号の代表的な振幅を判定し、一連のＥＣＡＰ信号の代表的な振幅を、目標ＥＣＡＰ調整ウィンドウ（例えば、患者ＥＣＡＰ特性２２２に記憶されている差異をプラスマイナスした目標ＥＣＡＰ振幅）と比較するように構成されている。したがって、目標ＥＣＡＰ調整ウィンドウは、目標ＥＣＡＰ振幅から逸脱した振幅の範囲でああってもよい。例えば、目標ＥＣＡＰ調整ウィンドウは、下限振幅値（例えば、目標ＥＣＡＰ振幅から差異をマイナスしたもの）から上限振幅値（例えば、目標ＥＣＡＰ振幅に差異をプラスしたもの）まで及ぶ場合がある。一般に、下限振幅値は目標ＥＣＡＰ振幅未満であり、上限振幅値は目標ＥＣＡＰ振幅を超える。
【００６８】
少なくとも１つのそれぞれのＥＣＡＰ信号の代表的な振幅（例えば、単一のＥＣＡＰ信号の振幅または２つ以上のＥＣＡＰ振幅の平均）が上限振幅値を超える場合、処理回路２１４は、治療刺激プログラム２１７およびＥＣＡＰ試験刺激プログラム２１８のうちの１つ以上を調整し、少なくとも１つのそれぞれのＥＣＡＰに続く通知パルスおよび制御パルスの振幅を減少させることができる。通知パルスおよび制御パルスの振幅は、異なる所定のステップまたは異なる所定の割合で減少させてもよい。さらに、少なくとも１つのそれぞれのＥＣＡＰの代表的な振幅が下限振幅値未満である場合、処理回路２１４は、治療刺激プログラム２１７およびＥＣＡＰ試験刺激プログラム２１８を調整することができ、プログラム２１７および２１８は、少なくとも１つのそれぞれのＥＣＡＰに続く情報パルスと制御パルスの振幅を増加させるように刺激発生器２１１を指示することができる。さらに、少なくとも１つのそれぞれのＥＣＡＰの代表的な振幅が下限振幅値超であり、上限振幅値未満である場合、処理回路２１４は、プログラム２１７および２１８を変更できず、刺激発生器２１１は、少なくとも１つのそれぞれのＥＣＡＰに続く通知パルスの振幅を維持することができる。一例では、プログラム２１７および２１８を調整することは、複数の通知パルスおよび複数の制御パルスの１つ以上のパラメータを変更することを含んでいてもよい。一例では、少なくとも１つのそれぞれのＥＣＡＰは、一連の４つの連続するＥＣＡＰを含んでいてもよい。
【００６９】
一例では、処理回路２１４は、目標ＥＣＡＰ振幅と少なくとも１つのそれぞれのＥＣＡＰの代表的な振幅との間の差に反比例する少なくとも１つのそれぞれのＥＣＡＰに続く通知パルスおよび制御パルスの振幅を変更することができる。例えば、少なくとも１つのそれぞれのＥＣＡＰの代表的な振幅が目標ＥＣＡＰ振幅より２０％低い場合、処理回路２１４は、通知パルスおよび制御パルスの振幅が２０％増加するように治療プログラム２１７および２１８を更新することができる。一例では、代表的な振幅は、感知回路２１２によって感知された２つ以上のそれぞれのＥＣＡＰ信号の平均振幅であってもよい。他の例では、代表的な振幅は、２つ以上のそれぞれのＥＣＡＰ信号の中央値振幅、または２つ以上のそれぞれのＥＣＡＰ信号の移動平均であってもよい。
【００７０】
別の例では、処理回路２１４は、感知回路２１２によって感知されたそれぞれのＥＣＡＰ信号の振幅を判定してもよい。それぞれのＥＣＡＰ信号の振幅と、患者ＥＣＡＰ特性２２２に記憶された目標ＥＣＡＰ振幅との間の比較に応じて、処理回路２１４は、それぞれのＥＣＡＰ信号の振幅と目標ＥＣＡＰ振幅との間の割合の差を判定することができる。結果として、処理回路２１４は、後続の通知パルスの振幅を、それぞれのＥＣＡＰの振幅と目標ＥＣＡＰ振幅との間の割合の差に反比例するように調整することができる。
【００７１】
他の例では、処理回路２１４は、少なくとも１つのそれぞれのＥＣＡＰの代表的な振幅を使用して、パルス幅、パルス周波数、およびパルス形状など、送達される通知パルスの他のパラメータを変更することができる。これらのパラメータはすべて、通知パルスの強度に寄与していてもよく、これらのパラメータ値のうちの１つ以上を変更すると、通知パルスの強度が効果的に調整されて、刺激電極とＥＣＡＰ信号の代表的な振幅によって示される神経との間の変更された距離を補償することができる。
【００７２】
いくつかの例では、リード２３０は、線形８電極リード（図示せず）であってもよく、感知および刺激送達は、各々、異なる電極の集合を使用して実行されてもよい。線形８電極リードでは、各電極に０〜７まで連続して番号を付けることができる。例えば、制御パルスは、電極１をカソードとして、電極０および２をアノード（例えば、保護されたカソード）として使用して生成することができ、それぞれのＥＣＡＰ信号は、電極アレイの反対側の端に配置される電極６および７を使用して感知することができる。この戦略は、それぞれのＥＣＡＰの感知と刺激パルスの干渉を最小限に抑えることができる。他の電極の組み合わせを実施することができ、電極の組み合わせは、テレメトリ回路２１３を用いて、患者プログラマを使用して変更することができる。例えば、刺激電極および感知電極は、互いにより近くに配置してもよい。制御パルスのパルス幅を短くすると、感知電極を刺激電極に近づけることができる。
【００７３】
ＥＣＡＰフィードバックルール２２１は、処理回路２１４が、感知されたＥＣＡＰ信号を、通知パルスを定義し、治療刺激プログラム２１７として記憶される１つ以上のパラメータを変更するためのフィードバックとしてどのように使用するかを定義することができる。例えば、ＥＣＡＰフィードバックルール２２１は、代表的なＥＣＡＰ振幅と目標ＥＣＡＰ振幅との間の割合の差を使用して、情報パルスの現在の振幅を、図９に記載の技術など、割合の差と同じ比に逆調整することを指定してもよい。別の例として、ＥＣＡＰフィードバックルール２２１は、図１１を参照して説明したように、目標ＥＣＡＰ振幅の間の差がゲイン値に乗算され、通知パルスおよび制御パルスの以前の電流振幅に加算されることを指定してもよい。いずれの場合でも、ＥＣＡＰフィードバックルール２２１は、感知されたＥＣＡＰ信号に基づいて、通知パルスおよび／または制御パルスをどのように調整するかを処理回路１４に指示することができる。
【００７４】
一例では、センサ２１６は、患者の活動の変化または姿勢の変化を検出することができる。処理回路２１４は、患者の活動レベルまたは姿勢が変化したという指示をセンサ２１６から受信することができ、処理回路２１４は、ＥＣＡＰ試験刺激プログラム２１８に従って複数の制御パルスの送達を開始または変更するように構成され得る。例えば、処理回路２１４は、患者の活動が増加したという指示を受信したことに応じて、制御パルス送達およびそれぞれのＥＣＡＰ感知の頻度を増加させることができ、これは、電極と神経との間の距離が変化する可能性があることを示している。代替的に、処理回路２１４は、患者の活動が減少したという指示を受信したことに応じて、制御パルス送達およびそれぞれのＥＣＡＰ感知の頻度を減少させることができる。いくつかの例では、１つ以上のパラメータ（例えば、周波数、振幅、スルーレート、パルス持続時間など）は、患者の活動が変化したという指示を受診したことに応じて、調整（例えば、増加または減少）することができる。処理回路２１４は、センサ２１６から受信した信号に従って、治療刺激プログラム２１７およびＥＣＡＰ試験刺激プログラム２１８を更新するようにさらに構成されてもよい。
【００７５】
図２Ｂは、例示的な外部プログラマ３００のブロック図である。外部プログラマ３００は、図１の外部プログラマ１５０の一例であり得る。プログラマ３００は、一般に、ハンドヘルドデバイスとして説明され得るが、プログラマ３００は、より大きな携帯型デバイスまたはむしろ固定式のデバイスであり得る。加えて、他の例では、プログラマ３００は、外部充電デバイスの一部として含まれ得るか、または外部充電デバイスの機能を含み得る。図２Ｂに示されるように、プログラマ３００は、処理回路３５３、メモリ３５４、ユーザインターフェース３５１、テレメトリ回路３５２、および電源３５５を含み得る。メモリ３５４は、処理回路３５３によって実行されると、処理回路３５３および外部プログラマ３００に、本開示全体を通して外部プログラマ３００に属する機能を提供させる命令を記憶していてもよい。これらの構成要素、回路、またはモジュールの各々は、本明細書に記載の機能の一部またはすべてを実行するように構成されている電気回路を含み得る。例えば、処理回路３５３は、処理回路３５３に関して考察されたプロセスを実行するように構成されている処理回路を含み得る。
【００７６】
一般に、プログラマ３００は、プログラマ３００、さらにプログラマ３００の処理回路３５３、ユーザインターフェース３５１、およびテレメトリ回路３５２に帰属する技術を実行するために、単独で、またはソフトウェアおよび／もしくはファームウェアと組み合わせて、任意の好適なハードウェアの配設を含む。様々な例において、プログラマ３００は、１つ以上のマイクロプロセッサ、ＤＳＰ、ＡＳＩＣ、ＦＰＧＡ、または他の同等の集積または個別論理回路などの１つ以上のプロセッサ、ならびにそのような構成要素のいずれかの組み合わせを含んでいてもよい。プログラマ３００はまた、様々な例では、ＲＡＭ、ＲＯＭ、ＰＲＯＭ、ＥＰＲＯＭ、ＥＥＰＲＯＭ、フラッシュメモリ、ハードディスク、ＣＤ−ＲＯＭなどのメモリ３５４を含んでいてもよく、これは、１つ以上のプロセッサにそれに帰属する動作を実行させるための実行可能命令を含んでいる。さらに、処理回路３５３およびテレメトリ回路３５２は別個のモジュールとして説明されているが、いくつかの例では、処理回路３５３およびテレメトリ回路３５２は機能的に統合されている。いくつかの例では、処理回路３５３およびテレメトリ回路３５２は、ＡＳＩＣ、ＤＳＰ、ＦＰＧＡ、または他のハードウェアユニットなどの個々のハードウェアユニットに対応する。
【００７７】
メモリ３５４（例えば、記憶デバイス）は、処理回路３５３によって実行されると、処理回路３５３およびプログラマ３００に、本開示全体を通してプログラマ３００に属する機能を提供させる命令を記憶していてもよい。例えば、メモリ３５４は、処理回路３５３に、メモリからパラメータ集合を取得させ、空間電極移動パターンを選択させ、またはユーザ入力を受信して対応するコマンドをＩＭＤ３００に送信させる命令、または他の任意の機能のための命令を含んでいてもよい。加えて、メモリ３５４は、複数のプログラムを含んでいてもよく、各プログラムは、治療刺激または制御刺激を定義するパラメータ集合を含む。メモリ３５４はまた、医療デバイス（例えば、ＩＭＤ１１０）から受信したデータを記憶してもよい。例えば、メモリ３５４は、医療デバイスの感知モジュールで記録されたＥＣＡＰ関連データを記憶することができ、メモリ３５４はまた、医療デバイスの１つ以上のセンサからのデータを記憶することができる。
【００７８】
ユーザインターフェース３５１は、ボタンまたはキーパッド、ライト、音声コマンド用のスピーカ、液晶（ＬＣＤ）、発光ダイオード（ＬＥＤ）、または有機発光ダイオード（ＯＬＥＤ）などのディスプレイを含んでもよい。いくつかの例では、ディスプレイはタッチスクリーンであってもよい。ユーザインターフェース３５１は、電気刺激の送達、特定した患者の行動、感知された患者のパラメータ値、患者の行動基準、または他のそのような情報に関連するいずれかの情報を表示するように構成されてもよい。ユーザインターフェース３５１はまた、ユーザインターフェース３５１を用いてユーザ入力を受信してもよい。入力は、例えば、キーパッド上のボタンを押すか、またはタッチスクリーンからアイコンを選択するという形であってもよい。入力は、電気刺激の開始または停止を要求することができ、入力は、新しい空間電極移動パターンまたは既存の空間電極移動パターンへの変更を要求することができ、または入力は、電気刺激の送達に対するいくつかの他の変更を要求することができる。
【００７９】
テレメトリ回路３５２は、処理回路３５３の制御下で、医療デバイスとプログラマ３００との間の無線通信をサポートすることができる。テレメトリ回路３５２はまた、無線通信技術を用いて別のコンピューティングデバイスと通信するか、または有線接続を介して直接通信するように構成されていてもよい。いくつかの例では、テレメトリ回路３５２は、ＲＦまたは近位誘導媒体を用いて無線通信を提供する。いくつかの例では、テレメトリ回路３５２は、内部または外部アンテナなどの様々な形態をとることができるアンテナを含む。
【００８０】
プログラマ３００とＩＭＤ１１０との間の通信を容易にするために使用できるローカル無線通信技術の例には、８０２．１１またはブルートゥース（登録商標）仕様セットまたは他の標準または独自のテレメトリプロトコルに従ったＲＦ通信が含まれる。このようにして、他の外部デバイスは、安全な無線接続を確立する必要なしに、プログラマ３００と通信することができてもよい。本明細書に記載されるように、テレメトリ回路３５２は、電気刺激療法の送達のために、空間電極運動パターンまたは他の刺激パラメータ値をＩＭＤ１１０に送信するように構成され得る。
【００８１】
いくつかの例では、パラメータまたは治療刺激プログラムの選択は、患者に送達するために医療デバイスに送信されてもよい。他の例では、治療は、患者が自分自身で実行しなければならない、または介護者が患者のために実行しなければならない投薬、活動、または他の指示を含んでいてもよい。いくつかの例では、プログラマ３００は、新しい命令があることを示す視覚的、聴覚的、および／または触覚的通知を提供してもよい。プログラマ３００は、いくつかの例では、命令が完了したことを認めるユーザ入力を受信することを要求してもよい。
【００８２】
本開示の技術によれば、外部プログラマ３００のユーザインターフェース３５１は、１つ以上の治療刺激プログラムを更新するように、または１つ以上のＥＣＡＰ試験刺激プログラムを更新するように、医療デバイスのプロセッサに指示する臨床医からの指示を受信する。治療刺激プログラムおよびＥＣＡＰ試験刺激プログラムを更新することは、プログラムに従って医療デバイスによって送達される刺激パルスの１つ以上のパラメータ、例えば、振幅、パルス幅、周波数、および通知パルスおよび／または制御パルスのパルス形状を変更することを含んでいてもよい。ユーザインターフェース３５１はまた、治療刺激および制御刺激を含む任意の電気刺激を開始または停止するように命令する臨床医からの指示を受信してもよい。
【００８３】
図２Ｂに示されるプログラマ３００のアーキテクチャが例として示されている。本開示で説明される技術は、図２Ｂの例示的なプログラマ３００、ならびに本明細書で具体的に説明されていない他のタイプのシステムで実施され得る。本開示のいかなるものも、本開示の技術を図２Ｂによって示す例示的なアーキテクチャに限定するように解釈されるべきではない。
【００８４】
図３は、それぞれの刺激パルスについて感知された例示的な誘発複合活動電位（ＥＣＡＰ）のグラフ３９０である。図３に示すように、グラフ３９０は、例示的なＥＣＡＰ信号３９２（点線）およびＥＣＡＰ信号３９４（実線）を示している。ＥＣＡＰ信号３９２および３９４の各々は、保護カソードから送達された制御パルス、およびパルスの各正相と負相との間の相間間隔を含む二相パルスから感知されてもよい。刺激電極の保護カソードは、８電極リードの端に配置することができ、２つの感知電極は、８電極リードのもう一方の端に提供される。ＥＣＡＰ信号３９２は、閾値以下の刺激パルスの結果として感知された電圧振幅を示している。ＥＣＡＰ信号３９２のピーク３９６が検出され、送達された制御パルスのアーチファクトを表す。しかしながら、制御パルスが閾値以下であったため、ＥＣＡＰ信号３９２のアーチファクトの後に伝搬信号は検出されない。
【００８５】
ＥＣＡＰ信号３９２とは対照的に、ＥＣＡＰ信号３９４は、閾値を超える制御パルスから検出された電圧振幅を表す。ＥＣＡＰ信号３９４のピーク３９６が検出され、送達された制御パルスのアーチファクトを表す。ピーク３９６の後、ＥＣＡＰ信号３９４は、ピークＰ１、Ｎ１、およびＰ２も含んでおり、これらは、ＥＣＡＰからの伝播活動電位を表す３つの典型的なピークである。アーチファクト、ならびにピークＰ１、Ｎ１、およびＰ２の例示的な継続時間は、約１ミリ秒（ｍｓ）である。ＥＣＡＰ信号３９４のＥＣＡＰを検出する場合、様々な特性が特定されてもよい。例えば、ＥＣＡＰの特性は、Ｎ１とＰ２の間の振幅であってもよい。このＮ１−Ｐ２振幅は、アーチファクトが比較的大きな信号であるＰ１に影響する場合でも、簡単に検出可能であってもよく、Ｎ１−Ｐ２振幅は信号の電子ドリフトによる影響を最小限に抑えることができる。他の例では、通知パルスを制御するために使用されるＥＣＡＰの特性は、中性電圧またはゼロ電圧に対するＰ１、Ｎ１、またはＰ２の振幅であってもよい。いくつかの例では、通知パルスを制御するために使用されるＥＣＡＰの特性は、ピークＰ１、Ｎ１、またはＰ２のうちの２つ以上の合計であってもよい。他の例では、ＥＣＡＰ信号３９４の特性は、ピークＰ１、Ｎ１、および／またはＰ２のうちの１つ以上の下の領域であってもよい。他の例では、ＥＣＡＰの特性は、ピークＰ１、Ｎ１、またはＰ２のうちの１つと別のピークとの比であってもよい。いくつかの例では、ＥＣＡＰの特性は、Ｎ１とＰ２の間の傾きなど、ＥＣＡＰ信号の２点間の傾きであってもよい。他の例では、ＥＣＡＰの特性は、Ｎ１とＰ２との間の時間など、ＥＣＡＰの２点間の時間であってもよい。ＥＣＡＰ信号の２点間の時間は、ＥＣＡＰの待機時間と称される場合があり、制御パルスによって捕捉されている線維のタイプを示していることもある。待機時間が短い（つまり、待機時間の値が小さい）ＥＣＡＰ信号は、信号の伝播が速い神経線維の割合が高いことを示しているが、待機時間が長い（つまり、待機時間の値が大きい）ＥＣＡＰ信号は、伝播が遅い神経線維の割合が高いことを示している。ＥＣＡＰ信号の他の特性は、他の例で使用されてもよい。
【００８６】
ＥＣＡＰ信号の振幅は、パルス振幅が閾値よりも大きい限り、制御パルスの振幅の増加とともに増加するので、それにより、神経は脱分極して信号を伝播する。目標ＥＣＡＰ特性（例えば、目標ＥＣＡＰ振幅）は、通知パルスが患者に効果的な治療を提供すると判定されたたときに、制御パルスから検出されるＥＣＡＰ信号から判定されてもよい。したがって、ＥＣＡＰ信号は、刺激電極と、その時に送達される通知パルスの刺激パラメータ値に適切な神経との間の距離を表す。したがって、ＩＭＤ１１０は、測定ＥＣＡＰ特性値に対する検出された変化を使用して、通知パルスパラメータ値を変更し、通知パルス送達中に目標ＥＣＡＰ特性値を維持することを試みることができる。
【００８７】
図４Ａは、本開示の１つ以上の技術による、電気刺激パルスおよびそれぞれの感知されたＥＣＡＰ信号の例を示すタイミング図４００Ａである。例えば、図４Ａは、図２のＩＭＤ２００を参照して説明されている。図示されるように、タイミング図４００Ａは、第１のチャネル４０２、複数の制御パルス４０４Ａ〜４０４Ｎ（集合的に「制御パルス４０４」）、第２のチャネル４０６、複数のそれぞれのＥＣＡＰ４０８Ａ〜４０８Ｎ（集合的に「ＥＣＡＰ４０８」）、および複数の刺激干渉信号４０９Ａ〜４０９Ｎ（集合的に「刺激干渉信号４０９」）を含む。図４Ａの例では、制御パルス４０４はまた、患者に治療を提供することができ、通知パルスは治療に必要ではない。
【００８８】
第１のチャネル４０２は、電極２３２、２３４のうちの少なくとも１つの電極の電圧（または電流）を示す時間／電圧（および／または電流）グラフである。一例では、第１のチャネル４０２の刺激電極は、第２のチャネル４０６の感知電極としてリードの反対側に配置され得る。制御パルス４０４は、電極２３２、２３４の少なくとも１つによって患者の脊髄に送達される電気パルスであり得、制御パルス４０４は、相間間隔を有する平衡二相方形パルスであり得る。換言すれば、制御パルス４０４の各々は、相間間隔によって分離された負相および正相で示されている。例えば、制御パルス４０４は、それが正電圧を有するのと同じ時間および振幅の間、負電圧を有し得る。負電圧相は、正電圧相の前または後であり得ることに留意されたい。制御パルス４０４は、ＩＭＤ２００の記憶デバイス２１２に記憶されたＥＣＡＰ試験刺激プログラム２１８に従って送達され得、ＥＣＡＰ試験刺激プログラム２１８は、外部プログラマを用いたユーザ入力に従って更新され得、および／またはセンサ２２２（複数可）からの信号に従って更新され得る。一例では、制御パルス４０４は、約３００マイクロ秒未満のパルス幅を有し得る（例えば、正相、負相、および相間間隔の合計時間は３００マイクロ秒未満である）。別の例では、制御パルス４０４は、二相パルスの各位相に対して約１００μｓのパルス幅を有し得る。図４Ａに示されるように、制御パルス４０４は、チャネル４０２に対応する信号を送達または感知する１つ以上の電極を用いて送達され得る。制御パルス４０４の送達は、保護カソード電極の組み合わせにおけるリード線２３０によって送達され得る。例えば、リード線２３０が線形８電極リード線である場合、保護カソードの組み合わせは、中央のカソード電極と、カソード電極に直接隣接するアノード電極である。一部の患者にとって、制御パルス４０４は、患者の状態および／または症状を治療する治療を十分に提供し得る。したがって、これらの患者またはこれらの患者の治療の少なくともいくつかの側面について、追加の通知パルスは必要ない場合がある。
【００８９】
第２のチャネル４０６は、電極２３２、２３４のうちの少なくとも１つの電極の電圧（または電流）を示す時間／電圧（および／または電流）グラフである。一例では、第２のチャネル４０６の電極は、第１のチャネル４０２の電極としてリードの反対側に配置され得る。ＥＣＡＰ４０８は、制御パルス４０４に応じて、患者の脊髄からの電極２３２、２３４において感知され得る。ＥＣＡＰ４０８は、制御パルス４０４の発信から離れて神経に沿って伝播することができる電気信号である。一例では、ＥＣＡＰ４０８は、制御パルス４０４を送達するために使用される電極とは異なる電極によって感知される。図４Ａに示されるように、ＥＣＡＰ４０８は、第２のチャネル４０６上に記録され得る。
【００９０】
刺激干渉信号４０９Ａ、４０９Ｂ、および４０９Ｎ（例えば、刺激パルスのアーチファクト）は、リード線２３０によって感知され得、制御パルス４０４の送達と同じ期間中に感知され得る。干渉信号は、ＥＣＡＰ４０８よりも大きな振幅および強度を有し得るので、刺激干渉信号４０９の発生中にＩＭＤ２００に到達するいかなるＥＣＡＰも、ＩＭＤ２００の感知回路２０６によって適切に感知されない可能性がある。しかしながら、ＥＣＡＰ４０８は、各制御パルス４０４の完了後に各ＥＣＡＰ４０８が低下するので、感知回路２０６によって十分に感知され得る。図４Ａに示されるように、刺激干渉信号４０９およびＥＣＡＰ４０８は、チャネル４０６上に記録され得る。
【００９１】
図４Ｂは、本開示のいくつかの技術による、電気刺激パルスおよびそれぞれの感知されたＥＣＡＰの一例を示すタイミング図４００Ｂである。便宜上、図４Ｂは、図２ＡのＩＭＤ２００を参照して説明されている。図示されるように、タイミング図４００Ｂは、第１のチャネル４１０、複数の制御パルス４１２Ａ〜４１２Ｎ（集合的に「制御パルス４１２」）、第２のチャネル４２０、受動的な再充電相４２６Ａ〜４２６Ｎ（集合的に「受動的な再充電相４２６」）を含む複数の通知パルス４２４Ａ〜４２４Ｎ（集合的に「通知パルス４２４」）、第３のチャネル４３０、複数のそれぞれのＥＣＡＰ４３６Ａ〜４３６Ｎ（集合的に「ＥＣＡＰ４３６」）、および複数の刺激干渉信号４３８Ａ〜４３８Ｎ（集合的に「刺激干渉信号４３８」）を含む。
【００９２】
第１のチャネル４１０は、電極２３２、２３４のうちの少なくとも１つの電極の電圧（または電流）を示す時間／電圧（および／または電流）グラフである。一例では、第１のチャネル４１０の刺激電極は、第３のチャネル４３０の感知電極としてリードの反対側に配置され得る。制御パルス４１２は、電極２３２、２３４の少なくとも１つによって患者の脊髄に送達される電気パルスであり得、制御パルス４１２は、相間間隔を有する平衡二相方形パルスであり得る。換言すれば、制御パルス４１２の各々は、相間間隔によって分離された負相および正相で示されている。例えば、制御パルス４１２は、それが正電圧を有するのと同じ時間および振幅の間、負電圧を有し得る。負電圧相は、正電圧相の前または後であり得ることに留意されたい。制御パルス４１２は、ＩＭＤ２００のメモリ２５０に格納されたＥＣＡＰ試験刺激プログラム２１８に従って送達され得、ＥＣＡＰ試験刺激プログラム２１８は、外部プログラマを用いたユーザ入力に従って更新され得、および／またはセンサ２１６からの信号に従って更新され得る。一例では、制御パルス４１２は、約３００マイクロ秒未満のパルス幅を有し得る（例えば、正相、負相、および相間間隔の合計時間は３００マイクロ秒未満である）。別の例では、制御パルス４１２は、二相パルスの各位相に対して約１００μｓのパルス幅を有し得る。図４に示されるように、制御パルス４１２は、チャネル４１０に対応する信号を送達または感知する１つ以上の電極を用いて送達され得る。制御パルス４１２の送達は、保護カソード電極の組み合わせにおけるリード線２３０によって送達され得る。例えば、リード線２３０が線形８電極リード線である場合、保護カソードの組み合わせは、中央のカソード電極と、カソード電極に直接隣接するアノード電極である。
【００９３】
第２のチャネル４２０は、通知パルスについて、電極２３２、２３４のうちの少なくとも１つの電極の電圧（または電流）を示す時間／電圧（および／または電流）グラフである。一例では、第２のチャネル４２０の電極は、第１のチャネル４１０および第３のチャネル４３０の電極と部分的または完全に共通の電極を共有することができる。通知パルス４２４はまた、制御パルス４１２を送達するように構成されている同じリード２３０によって送達され得る。通知パルス４２４は、２種類のパルスが重複する期間中に送達されないように、制御パルス４１２とインターリーブされてもよい。しかしながら、通知パルス４２４は、制御パルス４１２を送達するのとまったく同じ電極によって送達されても、されなくてもよい。通知パルス４２４は、約３００μｓ超であり、約１０００μｓ未満のパルス幅を有する単相パルスであり得る。実際、通知パルス４２４は、制御パルス４１２よりも長いパルス幅を有するように構成され得る。図４に示されるように、通知パルス４２４は、チャネル４２０上に送達され得る。
【００９４】
通知パルス４２４は、受動的な再充電のために構成されてもよい。例えば、各通知パルス４２４の後に、刺激電極上の電荷を均等化するために、受動的な再充電相４２６が続いてもよい。刺激パルスに続いて組織に残っている電荷が、反対の印加電荷によって組織から即座に除去される能動的な再充電用に構成されているパルスとは異なり、受動的な充電は、通知パルスの終了後、組織が何らかの基準電圧（例えば、接地またはレール電圧）まで自然に放電することを可能にする。いくつかの例では、医療デバイスの電極は、医療デバイス本体において接地され得る。この場合、通知パルス４２４の終了に続いて、電極を取り囲む組織上の電荷が医療デバイスに散逸し、パルスの終了後の組織に残っている電荷の急速な減衰を生じさせる可能性がある。この急速な減衰は、受動的な再充電相４２６に示されている。受動的な再充電相４２６は、先行する通知パルス４２４のパルス幅に加えて持続時間を有し得る。他の例（図４には図示せず）では、通知パルス４２４は、能動的な再充電を含むパルスと称され得る正負の相（およびいくつかの例では、各位相間の間の相間間隔）を有する二相パルスであってもよい。二相パルスである通知パルスは、次の受動的な再充電相を有する場合もあれば、有していない場合もある。通知パルス４２４は、定義されてもよく、１つ以上の刺激プログラムの一部であってもよい。通知パルス４２４の各々は、同じパラメータ値（例えば、同じパルス幅、振幅、およびパルス形状）を有するものとして示されているが、通知パルス４２４のいくつかは、互いに異なる値を有する１つ以上のパラメータを有し得る。
【００９５】
第３のチャネル４３０は、電極２３２、２３４のうちの少なくとも１つの電極の電圧（または電流）を示す時間／電圧（および／または電流）グラフである。一例では、第３のチャネル４３０の電極は、第１のチャネル４１０の電極としてリードの反対側に配置され得る。ＥＣＡＰ４３６は、制御パルス４１２に応じて、患者の脊髄からの電極２３２、２３４において感知され得る。ＥＣＡＰ４３６は、制御パルス４１２の発信から離れて神経に沿って伝播することができる電気信号である。一例では、ＥＣＡＰ４３６は、制御パルス４１２を送達するために使用される電極とは異なる電極によって感知される。図４に示されるように、ＥＣＡＰ４３６は、第３のチャネル４３０上に記録され得る。
【００９６】
刺激干渉信号４３８Ａ、４３８Ｂ、および４３８Ｎ（例えば、刺激パルスのアーチファクト）は、リード線２３０によって感知され得、制御パルス４１２および通知パルス４２４の送達と同じ期間中に感知され得る。干渉信号は、ＥＣＡＰ４３６よりも大きな振幅および強度を有し得るので、刺激干渉信号４３８の発生中にＩＭＤ２００に到達するいかなるＥＣＡＰも、ＩＭＤ２００の感知回路２１２によって適切に感知されない可能性がある。しかしながら、ＥＣＡＰ４３６は、各制御パルス４１２の完了後、および次の通知パルス４２４の送達前に、各ＥＣＡＰ４３６が低下するので、感知回路２１２によって十分に感知され得る。図４に示されるように、刺激干渉信号４３８およびＥＣＡＰ４３６は、チャネル４３０上に記録され得る。
【００９７】
図５は、本開示の技術による、電気刺激パルスおよびそれぞれのＥＣＡＰの別の例を示すタイミング図５００である。便宜上、図５は、図２ＡのＩＭＤ２００を参照して説明されている。図示されるように、タイミング図５００は、第１のチャネル５１０、複数の制御パルス５１２Ａ〜５１２Ｎ（集合的に「制御パルス５１２」）、第２のチャネル５２０、受動的な再充電相５２６Ａ〜５２６Ｎ（集合的に「受動的な再充電相５２６」）を含む複数の通知パルス５２４Ａ〜５２４Ｎ（集合的に「通知パルス５２４」）、第３のチャネル５３０、複数のそれぞれのＥＣＡＰ５３６Ａ〜５３６Ｎ（集合的に「ＥＣＡＰ５３６」）、および複数の刺激干渉信号５３８Ａ〜５３８Ｎ（集合的に「刺激干渉信号５３８」）を含む。図５は、以下に詳述する相違点を除いて、図４と実質的に同様であってもよい。
【００９８】
２つ以上（例えば、２つ）の制御パルス５１２は、複数の時間イベントの各時間イベント（例えば、ウィンドウ）の間に送達され得、各時間イベントは、２つの連続する通知パルス５２４の間の時間を表す。例えば、各時間イベント中に、第１の制御パルスの直後に第１のそれぞれのＥＣＡＰが続いてもよく、第１のそれぞれのＥＣＡＰの完了に続いて、第２の制御パルスの直後に第２のそれぞれのＥＣＡＰが続いてもよい。通知パルスは、２番目のそれぞれのＥＣＡＰに続いて開始されてもよい。ここに示されていない他の例では、複数の時間イベントの各時間イベント中に、３つ以上の制御パルス５１２が送達され、それぞれのＥＣＡＰ信号が感知されてもよい。
【００９９】
図６は、本開示の技術法による、電気刺激パルスおよびそれぞれのＥＣＡＰの別の例を示すタイミング図６００である。便宜上、図６は、図２ＡのＩＭＤ２００を参照して説明されている。図示されるように、タイミング図６００は、第１のチャネル６１０、複数の制御パルス６１２Ａ〜６１２Ｎ（集合的に「制御パルス６１２」）、第２のチャネル６２０、受動的な再充電相６２６Ａ〜６２６Ｎ（集合的に「受動的な再充電相６２６」）を含む複数の通知パルス６２４Ａ〜６２４Ｎ（集合的に「通知パルス６２４」）、第３のチャネル６３０、複数のそれぞれのＥＣＡＰ６３６Ａ〜６３６Ｎ（集合的に「ＥＣＡＰ６３６」）、および複数の刺激干渉信号４３８Ａ〜４３８Ｎ（集合的に「刺激干渉信号４３８」）を含む。図６は、以下に詳述する相違点を除いて、図４と実質的に同様であってもよい。
【０１００】
図４および図５に示される前述の例では、少なくとも１つの制御パルスは、連続する通知パルスの各対の間で、送達され、インターリーブされていた。しかしながら、いくつかの例では、制御パルス６１２は、複数の時間イベントの各時間イベント（またはウィンドウ）の間に送達されず、各時間イベントは、２つの連続する通知パルス６２４の間の時間を表す。図６の例に示されるように、制御パルス６１２は、通知パルス６２４Ａの後、および通知パルス６２４Ｂの前に送達されない。言い換えれば、連続した通知パルス６２４Ａおよび６２４Ｂは、介在する制御パルスなしで送達され得る。いずれの場合も、通知パルスは所定の周波数に従って送達され、制御パルスは、通知パルスの間のいずれかの時間で送達され得る。いくつかの例では、通知パルス６２４Ａおよび通知パルス６２４Ｂの両方のパラメータ値は、それらが同じ刺激プログラムによって定義されるため、同じであり得る。他の例では、通知パルス６２４Ａおよび通知パルス６２４Ｂは、異なる振幅、パルス幅、パルス周波数、または電極の組み合わせなど、値が異なる少なくとも１つの刺激パラメータを有し得る。このようにして、通知パルス６２４Ａは、第１の刺激プログラムの一部であり得、一方、通知パルス６２４Ｂは、第１の刺激プログラムとは異なる第２の刺激プログラムの一部であり得る。したがって、処理回路２１４は、２つ以上の異なる刺激プログラムから通知パルスを送達してもよく、ここで、処理回路２１４は、同じ制御パルス（例えば、制御パルス６１２Ａ）からの検出されたＥＣＡＰ信号を使用して、複数の刺激プログラム（例えば、通知パルス６２４Ａおよび６２４Ｂの両方）における通知パルスの１つ以上のパラメータ値を「通知する」か、または他の方法で調整する。複数の刺激プログラムのこの概念は、本明細書に記載されているいずれかの通知パルスに適用することができる。
【０１０１】
制御パルスは、ＥＣＡＰ試験刺激プログラム２１８に従って与えられてもよい。処理回路２１４は、テレメトリ回路２１３を用いてユーザ入力に従って、またセンサ２１６からの信号によって、ＥＣＡＰ試験刺激プログラムを更新するように構成され得る。例えば、臨床医は、患者プログラマを操作し、ＥＣＡＰ試験刺激プログラム２１８を更新するための命令を含む信号をテレメトリ回路２１３に送信することができる。臨床医は、制御刺激を図４〜６に示されている例のいずれかに設定することができ、臨床医はまた、制御刺激を図４〜６に示されていない構成にカスタマイズすることができる。臨床医は、制御刺激の中止または制御刺激の開始をいつでも選択することができる。いくつかの例では、患者の姿勢または活動レベルが変化したことを検出すると、制御刺激が開始される。
【０１０２】
図７は、本開示の技術による、治療送達のための例示的な動作７００を示すフローチャートである。便宜上、図７は、図１のＩＭＤ１１０に関して説明されている。しかしながら、図７の技術は、ＩＭＤ１１０の異なる構成要素によって、または追加もしくは代替の医療デバイスによって実行され得る。
【０１０３】
図７の例では、ＩＭＤ１１０は、電気刺激療法を患者１０５に送達することができ、電気刺激療法は、ある期間にわたって所定のパルス周波数で複数の通知パルスを含む（７１０）。さらに、ＩＭＤ１１０は、ある期間にわたって、複数の通知パルスのうちの少なくともいくつかの通知パルスとインターリーブされた複数の制御パルスを送達することができる（７２０）。本明細書に記載されるように、制御パルスは、患者の治療に寄与するように構成されてもよく、またはされなくてもよい。例えば、１つ以上の制御パルスは、連続する通知パルスの間に送達され得る。別の例として、１つ以上の通知パルスが、連続する制御パルスの間に送達され得る。ＩＭＤ１１０は、複数の制御パルスのうちの１つ以上の制御パルスの後、および複数の通知パルスの直後の通知パルスの前に、それぞれのＥＣＡＰを感知することができる（７３０）。感知に続いて、ＩＭＤ１１０は、少なくとも１つのそれぞれのＥＣＡＰに基づいて、電気刺激療法の複数の通知パルスを少なくとも部分的に定義する１つ以上のパラメータ値を調整することができる（７４０）。例えば、ＩＭＤ１１０は、感知されたＥＣＡＰの特性の値を目標ＥＣＡＰ特性値と比較し、通知パルス、およびいくつかの例では、制御パルスを調整して、目標ＥＣＡＰ特性値を維持することができる。ＩＭＤ１１０は、電極１３０を用いて、調整された１つ以上のパラメータ値に従って、患者１０５の脊髄１２０への電気刺激療法を送達してもよい（７５０）。
【０１０４】
図８は、センサ入力に応じて、制御パルスを送達するための例示的な動作８００を示すフローチャートである。便宜上、図８は、図２ＡのＩＭＤ２００に関して説明されている。しかしながら、図８の技術は、ＩＭＤ２００の異なる構成要素によって、または追加もしくは代替の医療デバイスによって実行され得る。
【０１０５】
図８の例では、処理回路２１４は、電気刺激療法（例えば、通知パルス）およびＥＣＡＰ試験刺激を制御パルスで送達してもよい（８１０）。処理回路２１４は、電気刺激療法の送達中、患者の活動を監視する（８２０）。患者の活動には、患者の動きの変化、異なる姿勢への切り替え、または電極を標的組織（例えば、ニューロン）に対して移動させうる他のタイプの活動が含まれてもよい。
【０１０６】
処理回路２１４が患者の活動の変化を検出しない場合（ブロック８３０の「いいえ」の分岐）、処理回路２１４は、電気刺激療法を送達し続けることができる（８１０）。処理回路２１４が患者の活動の変化を検出する場合（ブロック８３０の「はい」の分岐）、処理回路２１４は、患者の活動の変化に従って、ＥＣＡＰ試験刺激プログラムを更新することができる（８４０）。例えば、処理回路２１４は、患者の活動の増加を検出することに応じて、制御パルスが送達され、ＥＣＡＰ信号が感知される頻度を増加させることができる。いくつかの例では、この頻度の増加は、指定された期間または無期限に継続する場合がある。次に、処理回路２１４は、刺激発生器２１１を制御して、更新されたＥＣＡＰ試験刺激プログラムに従って制御パルスを患者に送達し（８５０）、電気刺激療法を送達し続けることができる（８１０）。他の例では、処理回路２１４は、活動が変更されたか、または間もなく変更されることを示すユーザ入力を受信したことに応じて、ＥＣＡＰ試験刺激プログラムを更新することができる。代替的に、患者が、刺激療法が適切な時間内に活動または姿勢の変化に適応していないと考えている場合、患者は、ＥＣＡＰセンシングの頻度の増加を要求することができる。
【０１０７】
図９は、本開示の技術による治療送達のための例示的な動作９００を示すフローチャートである。便宜上、図９は、図２ＡのＩＭＤ２００に関して説明されている。しかしながら、図９の技術は、ＩＭＤ２００の異なる構成要素によって、または追加もしくは代替の医療デバイスによって実行され得る。動作９００は、感知されたＥＣＡＰ信号を使用して刺激療法を制御するための例示的なフィードバック機構である。
【０１０８】
図９に示されるように、ＩＭＤ２００の処理回路２１４は、目標ＥＣＡＰ振幅を判定することができる（９１０）。目標ＥＣＡＰ振幅は、ＩＭＤ２００に記憶されている患者のＥＣＡＰ特性２２２において示され得る。一例の目標ＥＣＡＰ振幅は、ＥＣＡＰ信号において検出可能なＮ１−Ｐ２振幅であってもよい。他の例では、処理回路２１４は、所定の機能（例えば、正弦波関数、ステップ関数、指数関数、または他の予定）に従って、ある期間にわたって目標ＥＣＡＰ振幅を自動的に変更してもよい。次に、処理回路９２０は、通知パルスおよび制御パルスを送達し、制御パルスによって誘発された結果のＥＣＡＰを感知する（９２０）。次に、処理回路２１４は、１つ以上の感知されたＥＣＡＰの代表的な振幅を判定する（９３０）。例えば、代表的な振幅は、最後の４つの感知されたＥＣＡＰ信号の平均振幅であり得る。しかしながら、代表的な振幅は、より少ないまたはより多くのＥＣＡＰからのものであってもよい。
【０１０９】
次に、処理回路２１４は、１つ以上のそれぞれのＥＣＡＰの代表的な振幅が目標ＥＣＡＰ調整ウィンドウの上限よりも大きいかどうかを判定する（９４０）。本明細書で考察されるように、目標ＥＣＡＰ調整ウィンドウは、差異をプラスマイナスした目標ＥＣＡＰ振幅によって定義され得る。したがって、差異をプラスした目標ＥＣＡＰ振幅により、目標ＥＣＡＰ調整ウィンドウの上限が定義されてもよい。同様に、差異をマイナスした目標ＥＣＡＰ振幅によって、目標ＥＣＡＰ調整ウィンドウの下限が定義されてもよい。このようにして、目標ＥＣＡＰ調整ウィンドウを決定することができるので、感知されたＥＣＡＰ振幅の小さな振動について、通知パルスの１つ以上のパラメータに調整が行われることはない。処理回路２１４が、１つ以上のＥＣＡＰの代表的な振幅が調整ウィンドウをプラスした目標ＥＣＡＰ振幅値よりも大きいと判断した場合（ブロック９４０の「はい」の分岐）、処理回路２１４は、通知パルスと制御パルスの振幅をそれぞれの値だけ減少させる（９５０）。例えば、通知パルスおよび制御パルスのそれぞれの振幅は、所定のステップで減少させてもよい。別の例として、通知パルスおよび制御パルスのそれぞれの振幅は、代表的な振幅と目標ＥＣＡＰ振幅との間の差に比例する量だけ減少させてもよい。処理回路２１４が、代表的な振幅が目標ＥＣＡＰ調整ウィンドウの上限よりも小さいと判断した場合（ブロック９４０の「いいえ」の分岐）、処理回路２１４はブロック９６０に移動する。
【０１１０】
ブロック９６０で、処理回路２１４は、１つ以上のそれぞれのＥＣＡＰの代表的な振幅が、目標ＥＣＡＰ調整ウィンドウの下限よりも大きいかどうかを判定する。１つ以上のそれぞれのＥＣＡＰの代表的な振幅が、目標ＥＣＡＰ調整ウィンドウの下限よりも小さい場合（ブロック９６０の「はい」の分岐）、処理回路２１４は、通知パルスおよび制御パルスの振幅をそれぞれの値だけ増加させる（９７０）。例えば、通知パルスおよび制御パルスのそれぞれの振幅は、所定のステップで増加させてもよい。別の例として、通知パルスおよび制御パルスのそれぞれの振幅は、代表的な振幅と目標ＥＣＡＰ振幅との間の差に比例する量だけ増加させてもよい。次に、処理回路２１４は、増加または減少した振幅に従って、通知パルスおよび制御パルスを送達し続ける。いくつかの例では、ステップ９５０または９７０で通知パルスおよび／または制御パルスに適用される減少または増加は、次の予定通知パルスまたは制御パルスの振幅または他のパラメータに適用されてもよい。このように、次の通知パルスに減少が適用された場合でも、減少をマイナスした次の通知パルスの予定振幅が以前の通知パルスの振幅よりも大きい場合には、次の通知パルスの全体的な新しい振幅が以前の通知パルスの振幅よりも大きくなる可能性がある。
【０１１１】
通知パルスおよび制御パルスの振幅を調整するための動作９００のプロセスが説明されているが、他の例では、他のパラメータ値を変更してもよい。例えば、感知されたＥＣＡＰ信号を使用して、通知パルスおよび制御パルスのパルス幅を増加または減少させて、組織に送達される電荷の量を調整し、一定の量の神経活性化を維持することができる。他の例では、電極の組み合わせは、異なる量の電荷を送達し、各通知パルスによって回復中のニューロンの数を変更するために調整してもよい。他の例では、処理回路２１４は、ＥＣＡＰ信号の特性が目標ＥＣＡＰ調整ウィンドウより大きいかまたは小さいことに応じて、通知ドパルスのスルーレート（すなわち、パルスまたはパルスの各相の開始および／または終了時の電圧および／または振幅の変化率）を調整するように構成されていてもよい。例えば、ＥＣＡＰ信号の代表的な振幅が目標ＥＣＡＰ調整ウィンドウの上限よりも大きい場合、処理回路２１４は、次の通知パルスのスルーレートを減少させる（すなわち、パルスの振幅をよりゆっくりと上昇させる）ことができる。ＥＣＡＰ信号の代表的な振幅が目標ＥＣＡＰ調整ウィンドウの下限よりも小さい場合、処理回路２１４は、次の通知パルスのスルーレートを増加させる（すなわち、パルスの振幅をより速く上昇させる）ことができる。スルーレートは、パルスの強度に寄与する可能性がある。処理回路２１４は、動作９００のプロセスに従って、通知パルスを定義する１つ以上のパラメータを変更することができる。
【０１１２】
他の例では、処理回路２１４は、制御パルスの振幅を調整することなく動作９００を実行することができる。このようにして、処理回路２１４は、制御パルスの同じ振幅を維持し、感知されたＥＣＡＰ信号（複数可）の最後の、または最近の代表的な振幅と比較して、感知されたＥＣＡＰ信号（複数可）の代表的な振幅の変化に応じて、振幅（または他のパラメータ）を調整し、電極から神経までの距離の変化を検出してもよい。制御パルスのみが患者に治療を提供する他の例では、図９の技術は、通知パルスを調整または送達することなく、システムによって使用されてもよい。
【０１１３】
図１０Ａは、それぞれの刺激パルス振幅から感知されたＥＣＡＰの例示的な成長曲線１００２のグラフ１０００である。グラフ１０００は、刺激パルスのそれぞれの異なる電流振幅に対して点として示されているＥＣＡＰの例を示している。通常、ＥＣＡＰは、刺激パルス振幅が、図１０Ａの例では約４．５ｍＡの電流で閾値に達するまで生成されない。次に、電流振幅が増加すると、ＥＣＡＰ振幅もほぼ直線的に増加する。この直線的な関係は、成長曲線１００２によって示されている。図１０Ａの例では、この傾斜は約３２μＶ／ｍＡであり得る。しかしながら、傾斜は、埋め込まれる電極のタイプ、電極が埋め込まれる場所、刺激に対する患者のニューロンの感度、神経学的機能障害、または他の要因に基づいて、患者ごとに異なる場合がある。
【０１１４】
直線的に増加するこの成長曲線の傾斜は、感知されたＥＣＡＰ振幅とパルス振幅の関係を示すため、ここでは「ゲイン」と称される場合がある。別の言い方をすれば、ゲイン値は、患者に送達されたそれぞれの較正刺激パルスから誘発され、刺激パラメータ（例えば、電流振幅、電圧振幅、またはパルス幅）の異なる値によって少なくとも部分的に定義されるＥＣＡＰ信号の特性値（例えば、Ｎ１−Ｐ２振幅またはＥＣＡＰ信号のいずれかのピークの振幅のような振幅）の成長曲線の傾斜を表してもよい。例えば、患者のゲイン値を使用して、感知されたＥＣＡＰ振幅に基づいて、通知パルス振幅および制御振幅を動的に調整することができる。いくつかの例では、同様の患者の履歴データに基づいて、患者のゲインを概算することができる。他の例では、システムは、システムで治療を開始する前に、患者に固有のカスタム成長曲線およびゲインを生成してもよい。
【０１１５】
図１０Ｂは、刺激療法を調整するための例示的な技術を示す図である。図１０Ｂの例に示すように、本明細書に記載されたＩＭＤ２００またはいずれかの他のデバイスまたはシステムなどのシステムは、刺激に対する患者の感度を表すゲイン値に基づいて、通知パルスおよび制御パルスの振幅（または他のパラメータ）を動的に調整してもよい。ＩＭＤ２００の処理回路２１４は、刺激発生器２１１を制御して、制御パルスを患者に送達することができる。次に、処理回路２１４は、感知回路２１２を制御して、制御パルスによって誘発されたＥＣＡＰ信号を感知し、次いで、ＥＣＡＰ信号の特性（例えば、ＥＣＡＰ信号の振幅）を特定することができる。次に、処理回路２１４は、ＥＣＡＰ信号の特性とゲイン値とに基づいて、少なくとも部分的に通知パルスを定義するパラメータ値（例えば、振幅、パルス幅値、パルス周波数値、および／またはスルーレート値）を判定してもよい。次に、プロセッサ２１４は、刺激発生器２１１を制御して、判定された通知パルスに従って通知パルスを送達することができる。
【０１１６】
図１０Ｂに示されるように、制御パルス１０１６は、３つの電極の保護カソードとして示される電極の組み合わせ１０２４を用いて患者に送達される。結果として生じるＥＣＡＰは、差動増幅器１０３０に供給される電極の組み合わせ１０２８のリードの対向端にある２つの電極によって感知される。感知された各ＥＣＡＰについて、処理回路２１４は、ＥＣＡＰ信号の一部分の振幅、例えばＥＣＡＰ信号の一部分からのＮ１−Ｐ２電圧振幅を測定してもよい。処理回路２１４は、例えば、最新の連続した、２、３、５，５、６、またはそれ以上のＥＣＡＰ振幅の平均値を求めるなど、最近測定されたＥＣＡＰ振幅の平均値を求めてもよい。いくつかの例では、平均は平均値または中央値であり得る。いくつかの例では、振幅値がエラーであると判定された場合、１つ以上のＥＣＡＰ振幅を計算から無視することができる。次に、測定振幅（または平均測定振幅）が、選択された目標ＥＣＡＰ振幅１０１０から減算され、差分振幅が生成される。選択された目標ＥＣＡＰ振幅１０１０は、医師または患者が通知パルスから効果的な治療法を最初に発見したときに感知されたＥＣＡＰから判定されてもよい。この目標ＥＣＡＰ振幅１０１０は、本質的に、刺激電極と標的ニューロン（例えば、ＳＣＳの場合の脊髄）との間の基準距離を表し得る。
【０１１７】
次に、差分振幅に患者のゲイン値を乗算して、予備差分値１０１２を生成する。予備差分値がＥＣＡＰパルス振幅（例えば、制御パルス振幅）に加算されて、次の制御パルス１０１６を少なくとも部分的に定義する新しい、または調整されたＥＣＡＰパルス振幅を生成する。
【０１１８】
通知パルス振幅を調整するために、差分値にスケーリング係数１０１８を乗算して、治療差分値を生成する。例えば、スケーリング係数は、以前に送達された通知パルス振幅と以前に送達された制御パルス振幅との比であり得る。次に、治療差分値は、以前に送達された通知パルス振幅１０２０に加算され、次の通知パルス１０２２を少なくとも部分的に定義する新しい、または調整された通知パルス振幅を生成する。このプロセスは、複数の刺激プログラムからの通知パルスに適用できる。例えば、２つの異なる刺激プログラムからの通知パルスが刺激療法の一部として送達される場合、システムは、それぞれのスケーリング係数に差分値を乗算して、各刺激プログラムの通知パルスのそれぞれの治療差分値を取得することができる。次の通知パルス１０２２（または複数の刺激プログラムが治療に関与している場合にはパルス）は、次に、制御パルス１０１６とインターリーブされて、電極の組み合わせ１０２６を用いて患者に送達される。いくつかの例では、連続する通知パルスの間に、少なくとも２つの制御パルスが送達され、少なくとも２つのそれぞれのＥＣＡＰ信号が感知され得る。このように制御パルスの周波数を増加させることにより、システムは、電極とニューロンとの間の距離の変化に対して、通知パルスの振幅を迅速に調整することを可能にし得る。電極の組み合わせ１０２６は、電極の組み合わせ１０２４および１０２８とは異なるが、電極の組み合わせ１０２６は、通知パルスが制御パルスおよび感知されたＥＣＡＰ信号と重複しないように送達されるため、治療にとって望ましいリード上の電極のいずれかの集合であり得る。いくつかの例では、次の制御パルスまたは通知パルスは、以前の通知パルスまたは制御パルスよりも高いまたは低い振幅（または他のパラメータ）を有するように予定されてもよい。したがって、システムは、それぞれの差分値を、単に以前の制御パルスまたは通知パルスの以前の振幅または他のパラメータに適用するのではなく、制御パルスおよび／または情報パルスの差分値を、次の制御パルスおよび／または通知パルスの予定された振幅（または他のパラメータ）に適用してもよい。
【０１１９】
いくつかの例では、通知パルスのパルス幅は、約３００μｓ超、かつ約１０００μｓ未満であってよい。他の例では、通知パルスのパルス幅は、約３００μｓ未満、または１０００μｓ超であってもよい。通知パルスは、受動的な再充電相に続く単相パルスであり得る。しかしながら、他の例では、通知パルスは、正相および負相を含む二相パルスであり得る。いくつかの例では、制御パルス幅は約３００μｓ未満であってよい。いくつかの例では、制御パルスは、正相および負相を含む二相パルスである。例えば、二相制御パルスは、約１００μｓの持続時間を有する正相、約１００μｓの持続時間を有する負相、および約３０μｓの持続時間の相間間隔を含み得る。このようにして、結果として生じるＥＣＡＰ信号を検出する前に、制御パルスを完了することができる。いくつかの例では、通知パルスは３００μｓ未満であってもよいが、（二相パルスの）次の受動的な再充電相または能動的な再充電相でさえ、その通知パルスからの検出可能なＥＣＡＰ信号を不明瞭にする可能性がある。加えて、通知パルスのパルス幅に関係なく、通知パルスが、結果として生じるＥＣＡＰ信号の感知または検出可能なＥＣＡＰ信号の生成を別の方法で妨害するであろうパラメータ値（例えば、振幅、パルス幅、周波数、パルス形状、電極の組み合わせなど）を有することができるように、制御パルスから生じるＥＣＡＰ信号を感知することが有益である場合がある。
【０１２０】
図１０Ｂの一例では、複数の刺激プログラムは、制御パルスから検出されたＥＣＡＰ信号から通知される通知パルスを定義することができる。例えば、１〜８のラベルが付いた８つの電極を持つリードの場合、制御パルスは、最初に２１０μｓのパルス幅（９０μｓの正の位相、３０μｓの間の位相間隔、および９０μｓの負の位相）で１０．０ミリアンペア（ｍＡ）において送達されてもよい。制御パルスは、電極７上にカソードがあり、電極７の両側の電極６および８にアノードがある保護カソード構成で送達されてもよい。１つの刺激プログラムは、電極６上のカソードおよび電極４上のアノードを有する８００μｓ（４００μｓの正相および４００μｓの負相）のパルス幅を有する４．０ｍＡの第１の通知パルスを定義してもよい。別の刺激プログラムは、電極２上のカソードおよび電極３上のアノードを有する４００μｓ（２００μｓの正相および２００μｓの負相）のパルス幅を有する５．０ｍＡの第２の通知パルスを定義してもよい。第１および第２の通知パルスは、経時的にインターリーブされてもよく、各それぞれの刺激プログラムからの第１および第２の通知パルスの両方は、制御パルスから検出されたＥＣＡＰ信号と、制御パルスに対する第１および第２の通知パルスの各々についてのスケーリング係数または比に基づいて、調整または通知されてもよい。例えば、第１の通知パルスのスケーリング係数は４０％（例えば、４．０ｍＡを１０ｍＡで割ったもの）であり得、第２の通知パルスのスケーリング係数は、５０％（例えば、５．０ｍＡを１０ｍＡで割ったもの）であり得る。したがって、２ｍＡの決定された差分値１０１２が次の制御パルスに追加されると判定された場合、システムは、第１の刺激プログラムからの次の第１の通知パルスを０．８ｍＡ（４．８ｍＡ）だけ増加させるべきであると判定し、第２の刺激プログラムからの次の第２の通知パルスを１．０ｍＡ（６．０ｍＡ）だけ増加させるべきであると判定し得る。このようにして、システムは、単一の制御パルスから検出されたＥＣＡＰ信号に基づいて、２つ以上の刺激プログラムからの通知パルスを調整することができる。
【０１２１】
図１０Ｂの技術は、通知パルスおよび制御パルスの振幅の調整について説明されているが、他の例では、他のパラメータ値を変更してもよい。例えば、感知されたＥＣＡＰ信号を使用して、通知パルスおよび制御パルスのパルス幅を増加または減少させて、組織に送達される電荷の量を調整し、一定の量の神経活性化を維持することができる。他の例では、電極の組み合わせは、異なる量の電荷を送達し、各通知パルスによって回復中のニューロンの数を変更するために調整してもよい。他の例では、処理回路２１４は、最新のＥＣＡＰ振幅の振幅など、ＥＣＡＰ信号の特性に応じて、通知パルスおよび／または制御パルスのスルーレート（すなわち、パルスまたはパルスの各相の開始および／または終了時の電圧および／または振幅の変化率）を調整するように構成され得る。振幅以外のパラメータの場合、そのタイプのパラメータを適切に調整するために、各タイプのパラメータに固有のゲイン値を決定する必要があるかもしれない。処理回路２１４は、図１０Ｂのプロセスに従って、通知パルスおよび／または制御パルスを定義する１つ以上のパラメータを変更することができる。例えば、ＥＣＡＰ信号を使用して、それぞれのパルスパラメータに対して複数の同時フィードバック機構を同時に制御することができる。他の例では、処理回路２１４は、処理回路２１４が特定のパラメータの調整の限界に達したときに、２つ以上のフィードバック機構を切り替えることができる。例えば、処理回路２１４は、振幅が範囲（例えば、臨床医によって定義された範囲）内に留まる限り、フィードバック制御機構を使用して振幅を調整し、その後、振幅が範囲を超えることに応じて、通知パルスおよび／または制御パルスの異なるパラメータ（例えば、パルス幅またはスルーレート）を調整するために、別のフィードバック制御機構に切り替えるように構成されていてもよい。
【０１２２】
他の例では、処理回路２１４は、制御パルスの振幅を調整することなく、図１０Ｂの技術を実行することができる。このようにして、処理回路２１４は、制御パルスの同じ振幅を維持し、感知されたＥＣＡＰ信号（複数可）の最後の、または最近の平均振幅と比較して、感知されたＥＣＡＰ信号（複数可）の平均振幅の変化に応じて、通知パルスの振幅（または他のパラメータ）を調整し、電極から神経までの距離の変化を検出してもよい。この場合、目標ＥＣＡＰ振幅１０１０は、例えば、目標ＥＣＡＰ振幅と最新の感知されたＥＣＡＰ振幅（または平均振幅）との間の差によって調整され得る。制御パルスのみが患者に治療を提供する他の例では、図１０Ｂの技術は、通知パルスを調整または送達することなく、システムによって使用され得る。
【０１２３】
図１１は、刺激療法を調整するための例示的な動作１１００を示すフローチャートである。ＩＭＤ２００および処理回路２１４は、図１１の例で説明されるが、ＩＭＤ１１０または他のデバイスまたはシステムなどの他のＩＭＤは、動作１１００を実行するか、または部分的に実行することができる。動作１１００は、図１０Ｂに関連する図および考察と同様であり得る。
【０１２４】
図１１の例では、処理回路２１４は、目標ＥＣＡＰ振幅を判定する（１１０２）。目標ＥＣＡＰ振幅は、最初に患者に送達されたサンプル刺激に基づいて判定されてもよい。目標ＥＣＡＰ振幅は、ＥＣＡＰ信号のＮ１−Ｐ２振幅であってもよいが、ＥＣＡＰ信号の１つ以上の異なるピークの振幅など、振幅の他の測定値を代わりに使用してもよい。代替的に、目標ＥＣＡＰ振幅は、代わりに、ＥＣＡＰ信号の１つ以上のピークの下の領域、ＥＣＡＰ信号の周波数成分、ＥＣＡＰ信号の最大および／または最小ピークタイミング、またはＥＣＡＰ信号のいずれかの他の特性などのＥＣＡＰ信号の異なる特性であってもよい。いくつかの例では、処理回路２１４は、ニューロン活性化の量を変化させ、いくつかの例では、通知パルスの知覚された感覚を変化させるために、所定の関数（例えば、正弦関数）に従って、あり期間にわたって目標ＥＣＡＰ振幅を自動的に変更するように構成されている。
【０１２５】
処理回路２１４は、以前に感知されたＥＣＡＰ信号から測定振幅を受信する。ＥＣＡＰ信号をフィードバックとして使用して、患者の電気刺激療法の通知パルスを制御するために、処理回路２１４は、測定振幅を目標ＥＣＡＰ振幅から減算して、差分振幅を生成する（１１０４）。いくつかの例では、または追加の測定振幅がプロセスから利用可能になると、処理回路２１４は、特定の数の最近の測定振幅（例えば、２つ以上）の平均値を求めて、測定ＥＣＡＰ振幅の移動平均を作成し、目標ＥＣＡＰ振幅から平均測定振幅を減算して、ＥＣＡＰ信号間の変動を平滑化してもよい。したがって、差分振幅は、電極がニューロンに対してどれだけ移動したかを表すものであり、通知パルスと制御パルスの振幅を調整するために使用して、患者に対して痛みを和らげるニューロンの神経活性化の一貫した量を維持することができる。
【０１２６】
次に、処理回路２１４は、差分振幅に患者のゲイン値を乗算して、予備差分値を生成する（１１０６）。ゲイン値は、患者の成長曲線の傾斜を表す場合がある。次に、処理回路２１４は、予備差分値を使用して、後続の通知パルスと制御パルス（例えば、ＥＣＡＰ試験パルス）の両方の振幅を調整する。処理回路２１４は、予備差分値を制御パルス振幅に加算して、新しい制御パルス振幅を生成する（１１０８）。次に、処理回路２１４は、刺激発生器２１１を制御して、制御パルスの周波数または通知パルス間の次の利用可能なウィンドウなどに従って、予定された時間において新しい制御パルス振幅によって定義される後続の制御パルスを送達する（１１１０）。処理回路２１４はまた、感知回路２１２を制御して、最近送達された制御パルスによって誘発された感知されたＥＣＡＰの振幅を測定し（１１１２）、ブロック１１０４においてフィードバックとして再び使用する。
【０１２７】
制御パルスの振幅を調整することに加えて、処理回路２１４は、予備振幅を使用して、通知パルス振幅を調整する。処理回路２１４は、差分値にスケーリング係数を乗算して、新しい治療差分値を生成する（１１１４）。スケーリング係数は、ブロック１１０４で使用される測定振幅の生成に使用されるＥＣＡＰ信号を誘発した、最後に送達された通知パルスの振幅と、最後に送達された制御パルスの振幅との間の比として判定されてもよい。差分振幅は制御パルスの振幅に基づいて生成されたため、スケーリング係数は、通知パルスの差分振幅を拡大してもよい。次に、処理回路２１４は、治療の差分値を直近の通知パルス振幅に追加して、新しい通知パルス振幅を生成する（１１１６）。次に、処理回路２１４は、刺激発生器２１１を制御して、通知パルス（１１１８）の所定のパルス周波数に従って、予定された時間に新たに調整された通知パルス振幅で次の通知パルスを送達する。
【０１２８】
動作１１００は、通知パルスおよび制御パルスの振幅の調整について説明されているが、他の例では、同様の動作を使用して、他の刺激パラメータを調整することができる。例えば、通知パルスと制御パルスの強度に寄与するパラメータは、パルス幅、パルス周波数、さらにはパルス形状（例えば、１パルスあたりの電荷量）などの神経活性化の量に影響を与えることがある。したがって、処理回路２１４は、制御パルスから誘発された感知されたＥＣＡＰ信号を使用して、振幅の代わりに、または振幅に加えて、異なるパラメータを調整することができる。例えば、処理回路２１４は、減少したＥＣＡＰ振幅の検出に応じて、通知パルスおよび制御パルスのパルス幅を増加させることができる。
【０１２９】
図１２は、感知されたＥＣＡＰを使用してフィードバック機構の有効性を試験する実験で使用された例示的な機器の図である。図１２に示されるように、システム１０００は、リード１２０４、刺激発生器１２０６、ＥＣＡＰ増幅器１２０８、フィードバック制御デバイス１２１０、信号デジタイザ１２１２、アナログーデジタル変換器１２１４、およびデータ記憶デバイス１２１６を含み得る。フィードバック制御デバイス１２１０は、刺激発生器１２０６を制御して、リード１２０４上の電極を用いて刺激パルス（例えば、制御パルス）を患者１２０２（例えば、ヒツジ）に送達することができる。ＥＣＡＰ増幅器１２０８は、結果として生じるＥＣＡＰ信号を感知し、これは後のレビューのためにデジタル化され、データ記憶デバイス１２１６に記憶される。加えて、ＥＣＡＰ信号は、フィードバック制御デバイス１２１０によって受信され、ＥＣＡＰ振幅を測定し、例えば、図１０Ｂおよび１１に記載のフィードバック機構などのフィードバック制御機構に従って制御パルスを調整するために使用される。図１２のこの実験的構成は、図１３のグラフに示されるように、フィードバック制御機構の有効性を評価するために使用され得る。
【０１３０】
図１３は、図１２に記載された実験においてフィードバック機構を使用して感知されたＥＣＡＰ電圧振幅のグラフを含む。図１３に示されるように、グラフ１３００、１３０４、１３０８、および１３１２は、経時的に検出されたＥＣＡＰ信号の測定Ｎ１−Ｐ２振幅を示している。グラフ１３０２、１３０６、１３１０、および１３１４は、類似のＮ１−Ｐ２振幅をグループ化して、測定Ｎ１−Ｐ２振幅が互いにどの程度密接にグループ化されているか、またはどの程度離れているかを示している。ＥＣＡＰ信号からのより一貫した、または密接にグループ化された、測定振幅は、フィードバック機構が目標ＥＣＡＰ振幅を維持し、患者（例えば、図１２のヒツジ）に一貫した量の神経活性化を提供していることを示す。
【０１３１】
グラフ１３００および１３０２は、開ループにおいて、または制御パルスの振幅を調整するためにフィードバック機構が採用されていない場合に、測定ＥＣＡＰ振幅が経時的にどのように変化するかを示している。言い換えれば、測定ＥＣＡＰ振幅は、電極からニューロンまでの距離が変化しているため、ヒツジが移動するにつれて変化する。対照的に、フィードバック機構を採用すると、０．１５ｍＶの目標ＥＣＡＰ振幅に対するＥＣＡＰ振幅を示すグラフ１３０４および１３０６、０．２０ｍＶの目標ＥＣＡＰ振幅に対するＥＣＡＰ振幅を示すグラフ１３０８および１３１０、および０．２５ｍＶの目標ＥＣＡＰ振幅に対するＥＣＡＰ振幅を示すグラフ１３１２および１３１４が得られる。パルス振幅を制御するためにフィードバック機構が採用されている場合のこれらのグラフに示されているように、ＥＣＡＰ振幅は、開ループ送達と比較して変動が少なく、経時的に比較的一貫した状態を維持している。これらのグラフは、本明細書に記載されたフィードバック制御機構が、患者の動きおよび活動の間であっても、患者に対する一貫した治療効果をもたらす可能性のある一貫した量の神経活性化を維持するのに有効であり得ることを示している。
【０１３２】
以下の例は、本明細書に記載の例示的なシステム、デバイス、および方法である。実施例１：方法であって、電気刺激療法を患者に送達することであって、電気刺激療法が、ある期間にわたって所定のパルス周波数で複数の通知パルスを含み、複数の通知パルスが、パラメータ値の第１の集合によって少なくとも部分的に定義される、送達することと、ある期間にわたって、複数の通知パルスのうちの少なくともいくつかの通知パルスとインターリーブされた複数の制御パルスを送達することであって、複数の制御パルスが、パラメータ値の第１の集合とは異なるパラメータ値の第２の集合によって少なくとも部分的に定義される、送達することと、複数の制御パルスのうちの１つ以上の制御パルスの後、かつ複数の通知パルスの直後の通知パルスよりも前に、それぞれの誘発複合活動電位（ＥＣＡＰ）を感知することと、少なくとも１つのそれぞれのＥＣＡＰに基づいて、電気刺激療法の複数の通知パルスを少なくとも部分的に定義するパラメータ値の第１の集合のうちの１つ以上のパラメータ値を調整することと、パラメータ値の第１の集合のうちの調整された１つ以上のパラメータ値に従って、電気刺激療法を患者に送達することと、を含む方法。
【０１３３】
実施例２：複数の通知パルスのうちの各通知パルスのパルス幅が約３００マイクロ秒超であり、約１０００マイクロ秒未満である、実施例１の方法。
【０１３４】
実施例３：複数の通知パルスの周波数が約４００ヘルツ未満である、実施例１および２のいずれかの組み合わせの方法。
【０１３５】
実施例４：複数の制御パルスのうちの各制御パルスのパルス幅が約３００マイクロ秒未満である、実施例１〜３のいずれかの組み合わせの方法。
【０１３６】
実施例５：複数の制御パルスを送達することが、複数の時間イベントのうちの各時間イベント中に、複数の制御パルスのうちの１つの制御パルスを送達することを含み、複数の時間イベントのうちの各時間イベントが、ある期間にわたって所定のパルス周波数において複数の情報パルスのうちの連続する情報パルス間の時間を含む、実施例１〜４のいずれかの組み合わせの方法。
【０１３７】
実施例６：複数の制御パルスを送達することが、複数の時間イベントのうちの各時間イベント中に、複数の制御パルスのうちの２つ以上の制御パルスを送達することを含み、複数の時間イベントのうちの各時間イベントが、ある期間にわたって所定のパルス周波数において複数の通知パルスのうちの連続する通知パルス間の時間を含む、実施例１〜５のいずれかの組み合わせの方法。
【０１３８】
実施例７：各感知されたそれぞれのＥＣＡＰについて、少なくとも１つのそれぞれのＥＣＡＰの代表的な振幅を判定することと、少なくとも１つのそれぞれのＥＣＡＰの代表的な振幅を目標ＥＣＡＰ振幅と比較することと、をさらに含み、１つ以上のパラメータ値を調整することが、代表的な振幅と目標ＥＣＡＰ振幅との比較に基づいて、１つ以上のパラメータ値を調整することを含む、実施例１〜６のいずれかの組み合わせの方法。
【０１３９】
実施例８：代表的な振幅が目標ＥＣＡＰ調整ウィンドウの上限超であると判定することに応じて、少なくとも１つのそれぞれのＥＣＡＰに続く複数の通知パルスのうちの１つ以上の通知パルスの振幅を減少させることと、代表的な振幅が目標ＥＣＡＰ調整ウィンドウの上限値超であると判定することに応じて、少なくとも１つのそれぞれのＥＣＡＰに続く複数の制御パルスのうちの１つ以上の制御パルスの振幅を減少させることと、をさらに含む、実施例１〜７のいずれかの組み合わせの方法。
【０１４０】
実施例９：代表的な振幅が目標ＥＣＡＰ調整ウィンドウの下限未満であると判定することに応じて、少なくとも１つのそれぞれのＥＣＡＰに続く複数の通知パルスのうちの１つ以上の通知パルスの振幅を増加させることと、代表的な振幅が目標ＥＣＡＰ調整ウィンドウの下限値未満であると判定することに応じて、少なくとも１つのそれぞれのＥＣＡＰに続く複数の制御パルスのうちの１つ以上の制御パルスの振幅を増加させることと、をさらに含む、実施例１〜８のいずれかの組み合わせの方法。
【０１４１】
実施例１０：各感知されたそれぞれのＥＣＡＰについて、それぞれのＥＣＡＰの振幅を判定することと、それぞれのＥＣＡＰの振幅と目標ＥＣＡＰ振幅との間の割合差を判定することと、をさらに含み、１つ以上のパラメータ値を調整することが、それぞれのＥＣＡＰの振幅と目標ＥＣＡＰ振幅との間の割合差に反比例するように後続の通知パルスの振幅値を変更することを含む、実施例１〜９のいずれかの組み合わせの方法。
【０１４２】
実施例１１：センサから、患者の活動レベルが変化したことを示す信号を受信することと、信号の受信に応じて、患者に送達される複数の制御パルスの周波数を増加または減少させることの一方と、をさらに含む、実施例１〜１０のいずれかの方法。
【０１４３】
実施例１２：複数の通知パルスのうちの各通知パルスが、受動的な再充電相が後に続く単相パルスであり、複数の制御パルスのうちの各制御パルスが、正相および負相を含む二相パルスである、実施例１〜１１のいずれかの組み合わせの方法。
【０１４４】
実施例１３：複数の通知パルスのうちの各通知パルスが、第１の正相および第１の負相を含む第１の二相パルスであり、複数の制御パルスのうちの各制御パルスが、第２の正相および第２の負相を含む第２の二相パルスである、実施例１〜１２のいずれかの組み合わせの方法。
【０１４５】
実施例１４：複数の制御パルスが複数の非治療パルスを含み、複数の通知パルスが複数の治療パルスを含む、実施例１〜１３のいずれかの組み合わせの方法。
【０１４６】
実施例１５：システムであって、刺激生成回路であって、電気刺激療法を患者に送達することであって、電気刺激療法が、ある期間にわたって所定のパルス周波数で複数の通知パルスを含み、複数の通知パルスが、パラメータ値の第１の集合によって少なくとも部分的に定義される、送達することと、ある期間にわたって、複数の制御パルスを送達することであって、複数の制御パルスが、複数の通知パルスのうちの少なくともいくつかの通知パルスとインターリーブされ、複数の制御パルスが、パラメータ値の第１の集合とは異なるパラメータ値の第２の集合によって少なくとも部分的に定義される、送達することと、を行うように構成されている刺激生成回路と、処理回路であって、複数の制御パルスのうちの１つ以上の制御パルスの後、かつ複数の通知パルスの直後の通知パルスよりも前に、感知されたそれぞれの誘発複合活動電位（ＥＣＡＰ）を受信することと、少なくとも１つのそれぞれのＥＣＡＰに基づいて、電気刺激療法の複数の通知パルスを少なくとも部分的に定義するパラメータ値の第１の集合のうちの１つ以上のパラメータ値を調整することと、刺激生成回路を用いて、パラメータ値の第１の集合のうちの調整された１つ以上のパラメータ値に従って、電気刺激療法を患者に送達することと、を行うように構成されている処理回路と、を含むシステム。
【０１４７】
実施例１６：複数の通知パルスのうちの各通知パルスのパルス幅が約３００マイクロ秒超であり、約１０００マイクロ秒未満である、実施例１５のシステム。
【０１４８】
実施例１７：複数の通知パルスの所定のパルス周波数が約４００ヘルツ未満である、実施例１５および１６のいずれかの組み合わせに記載のシステム。
【０１４９】
実施例１８：複数の制御パルスのうちの各制御パルスのパルス幅が約３００マイクロ秒未満である、実施例１５〜１７のいずれかの組み合わせに記載のシステム。
【０１５０】
実施例１９：刺激生成器が、複数の時間イベントのうちの各時間イベント中に、複数の制御パルスのうちの１つの制御パルスを送達するようにさらに構成されており、複数の時間イベントのうちの各時間イベントが、ある期間にわたって所定のパルス周波数において複数の情報パルスのうちの連続する情報パルス間の時間を含む、実施例１５〜１８のいずれかの組み合わせに記載のシステム。
【０１５１】
実施例２０：刺激生成器が、複数の時間イベントのうちの各時間イベント中に、複数の制御パルスのうちの２つ以上の制御パルスを送達するようにさらに構成されており、複数の時間イベントのうちの各時間イベントが、ある期間にわたって所定のパルス周波数において複数の通知パルスのうちの連続する通知パルス間の時間を含む、実施例１５〜１９のいずれかの組み合わせに記載のシステム。
【０１５２】
実施例２１：１つ以上のパラメータ値が、パルス振幅、パルス幅、パルス周波数、およびパルス形状のうちの少なくとも１つを含む、実施例１５〜２０のいずれかの組み合わせに記載のシステム。
【０１５３】
実施例２２：目標ＥＣＡＰ振幅と、下限から上限までの範囲のＥＣＡＰ調整ウィンドウと、をさらに含み、目標ＥＣＡＰ振幅が、ＥＣＡＰ調整ウィンドウ内にあり、１つ以上のプロセッサが、複数の制御パルスのうちの１つ以上の制御パルスのそれぞれの後のそれぞれのＥＣＡＰの振幅を判定することと、少なくとも１つのそれぞれのＥＣＡＰの代表的な振幅を計算することと、を行うようにさらに構成されている、実施例１５〜２１のいずれかの組み合わせに記載のシステム。
【０１５４】
実施例２３：１つ以上のプロセッサが、代表的な振幅が目標ＥＣＡＰ調整ウィンドウの上限値超である場合に、少なくとも１つのそれぞれのＥＣＡＰに続く複数の通知パルスのうちの１つ以上の通知パルスの振幅を減少させることと、代表的な振幅が目標ＥＣＡＰ調整ウィンドウの上限値超である場合に、少なくとも１つのそれぞれのＥＣＡＰに続く複数の制御パルスのうちの１つ以上の制御パルスの振幅を減少させることと、を行うようにさらに構成されている、実施例１５〜２２のいずれかの組み合わせに記載のシステム。
【０１５５】
実施例２４：１つ以上のプロセッサが、代表的な振幅が目標ＥＣＡＰ調整ウィンドウの下限値未満である場合に、少なくとも１つのそれぞれのＥＣＡＰに続く複数の通知パルスのうちの１つ以上の通知パルスの振幅を増加させることと、代表的な振幅が目標ＥＣＡＰ調整ウィンドウの下限値未満である場合に、少なくとも１つのそれぞれのＥＣＡＰに続く複数の制御パルスのうちの１つ以上の制御パルスの振幅を増加させることと、を行うようにさらに構成されている、実施例１５〜２３のいずれかの組み合わせに記載のシステム。
【０１５６】
実施例２５：センサをさらに含み、１つ以上のプロセッサが、センサから、患者の活動レベルが変化したことを示す信号を受信することと、信号の受信に応じて、刺激生成回路を用いて患者に送達される複数の制御パルスの周波数を増加または減少させることの一方と、を行うようにさらに構成されている、実施例１５〜２４のいずれかのシステム。
【０１５７】
実施例２６：複数の通知パルスのうちの各通知パルスが、受動的な再充電相が後に続く単相パルスであり、複数の制御パルスのうちの各制御パルスが、二相パルスである、実施例１５〜２５のいずれかの組み合わせに記載のシステム。
【０１５８】
実施例２７：目標ＥＣＡＰ振幅およびＥＣＡＰ調整ウィンドウを記憶するように構成されているメモリと、１つ以上の電極と、をさらに含み、刺激生成回路が、電気刺激療法を１つ以上の電極を用いて患者に送達することと、複数の制御パルスを１つ以上の電極を用いて患者に送達することと、を行うようにさらに構成されている、実施例１５〜２６のいずれかの組み合わせに記載のシステム。
【０１５９】
実施例２８：複数の制御パルスが複数の非治療パルスを含み、複数の通知パルスが複数の治療パルスを含む、実施例１５〜２７のいずれかの組み合わせに記載のシステム。
【０１６０】
実施例２９：コンピュータ可読記憶媒体であって、実行されたときに、１つ以上のプロセッサに、電気刺激療法の患者への送達を制御することであって、電気刺激療法が、ある期間にわたって所定のパルス周波数で複数の通知パルスを含み、複数の通知パルスが、パラメータ値の第１の集合によって少なくとも部分的に定義される、制御することと、ある期間にわたって、複数の通知パルスのうちの少なくともいくつかの通知パルスとインターリーブされた複数の制御パルスの送達を制御することであって、複数の制御パルスが、パラメータ値の第１の集合とは異なるパラメータ値の第２の集合によって少なくとも部分的に定義される、制御することと、複数の制御パルスのうちの１つ以上の制御パルスの後、かつ複数の通知パルスの直後の通知パルスよりも前に、感知されたそれぞれの誘発複合滑動電位（ＥＣＡＰ）を受信すること、少なくとも１つのそれぞれのＥＣＡＰに基づいて、電気刺激療法の複数の通知パルスを少なくとも部分的に定義するパラメータ値の第１の集合のうちの１つ以上のパラメータ値を調整することと、パラメータ値の第１の集合のうちの調整された１つ以上のパラメータ値に従って、電気刺激療法の患者への送達を制御することと、を行わせる命令を含むコンピュータ可読記憶媒体。
【０１６１】
実施例３０：方法であって、制御刺激パルスを患者に送達することであって、制御刺激パルスが、第１のパルス幅を有する、送達することと、制御刺激パルスによって誘発された誘発複合活動電位（ＥＣＡＰ）信号を感知することと、ＥＣＡＰ信号の特性を特定することと、ＥＣＡＰ信号の特性およびゲイン値に基づいて、複数の通知パルスから通知刺激パルスを少なくとも部分的に定義する治療パラメータ値を判定することとであって、複数の通知パルスが、第１のパルス幅よりも長い第２のパルス幅を有する、判定することと、判定した治療パラメータ値に従って通知パルスを送達することと、を含む方法。
【０１６２】
実施例３１：ゲイン値が、患者に送達され、刺激パラメータの異なる値によって少なくとも部分的に定義される、それぞれの較正刺激パルスから誘発されたＥＣＡＰ信号の特性の値の成長曲線の傾斜を表す、実施例３０の方法。
【０１６３】
実施例３２：ＥＣＡＰ信号の特性がＥＣＡＰ信号の一部分の測定振幅であり、治療パラメータ値が新しい通知振幅値を含み、新しい通知振幅値を判定することが、患者の目標ＥＣＡＰ振幅値から測定振幅を減算して、差分振幅を生成することと、差分振幅にゲイン値を乗算して、予備差分値を生成することと、予備差分値にスケーリング係数を乗算して、通知差分値を生成することであって、スケーリング係数が、制御刺激パルスの前に送達される以前の通知刺激パルスを定義する以前の通知振幅値の、制御刺激パルスを定義する制御振幅値に対する比を表す、生成することと、通知差分値を以前の通知振幅値に加算して、通知刺激パルスを少なくとも部分的に定義する新しい通知振幅値を生成することと、を含む、実施例３０および３１のいずれかの組み合わせの方法。
【０１６４】
実施例３３：制御パルスが第１の制御パルスであり、該方法が、第１の制御刺激パルスを定義する以前の制御振幅値に予備差分値を加算することにより、第２の制御刺激パルスを定義する新しい制御振幅値を生成することをさらに含み、第２の制御刺激パルスが、第１の制御刺激パルスの送達に続いて患者に送達される、実施例３０〜３２のいずれかの組み合わせの方法。
【０１６５】
実施例３４：通知刺激パルスが、第１の通知刺激パルスであり、該方法が、第１の通知刺激パルスの送達後に、新しい通知振幅値によって少なくとも部分的に定義される第２の通知刺激パルスを送達することをさらに含む、実施例３０〜３３のいずれかの組み合わせの方法。
【０１６６】
実施例３５：ＥＣＡＰ信号の一部分の測定振幅が、ＥＣＡＰ信号のＮ１ピークとＰ２ピークとの間の電圧振幅を含む、実施例３０〜３４のいずれかの組み合わせの方法。
【０１６７】
実施例３６：ＥＣＡＰ信号の特性およびゲイン値に基づいて、通知刺激パルスを少なくとも部分的に定義する治療パラメータ値を判定することが、複数の連続して感知されたＥＣＡＰ信号の特性の平均値およびゲイン値に基づいて、通知刺激パルスを少なくとも部分的に定義する治療パラメータ値を判定することを含み、複数の連続して感知されたＥＣＡＰ信号がＥＣＡＰ信号を含む、実施例３０〜３５のいずれかの組み合わせの方法。
【０１６８】
実施例３７：複数の制御刺激パルスが制御刺激パルスを含み、複数の通知刺激パルスが通知刺激パルスを含み、該方法が、複数の制御刺激パルスを複数の通知刺激パルスのうちの少なくともいくつかとインターリーブさせることをさらに含む、実施例３０〜３６のいずれかの組み合わせの方法。
【０１６９】
実施例３８：複数の制御刺激パルスを複数の通知刺激パルスのうちの少なくともいくつかとインターリーブさせることが、複数の制御刺激パルスのうちの少なくとも２つの制御刺激パルスを、連続する通知刺激パルス間で送達することと、連続する通知刺激パルスの間に、少なくとも２つの制御刺激パルスのそれぞれの制御刺激パルスによって誘発される少なくとも２つのＥＣＡＰ信号を感知することと、を含む、実施例３０〜３７のいずれかの組み合わせの方法。
【０１７０】
実施例３９：通知刺激パルスのパルス幅が約３００マイクロ秒超であり、約１０００マイクロ秒未満である、実施例３０〜３８のいずれかの組み合わせの方法。
【０１７１】
実施例４０：制御刺激パルスのパルス幅が約３００マイクロ秒未満である、実施例３０〜３９のいずれかの組み合わせの方法。
【０１７２】
実施例４１：通知刺激パルスが、受動的な再充電相が後に続く単相パルスであり、制御刺激パルスが、正相および負相を含む二相パルスである、実施例３０〜４０のいずれかの組み合わせの方法。
【０１７３】
実施例４２：通知刺激パルスが、第１の正相および第１の負相を含む第１の二相パルスであり、制御刺激パルスが、第２の正相および第２の負相を含む第２の二相パルスである、実施例３０〜４１のいずれかの組み合わせの方法。
【０１７４】
実施例４３：複数の制御刺激パルスが複数の非治療パルスを含み、複数の通知パルスが複数の治療パルスを含む、実施例３０〜４２のいずれかの組み合わせの方法。
【０１７５】
実施例４４：システムであって、刺激生成回路であって、制御刺激パルスを患者に送達することであって、制御刺激パルスが、第１のパルス幅を有する、送達することと、複数の通知パルスから、治療パラメータ値に従って、通知刺激パルスを送達することであって、複数の通知パルスが、第１のパルス幅よりも長い第２のパルス幅を有する送達することと、を行うように構成されている刺激生成回路と、処理回路であって、制御刺激パルスによって誘発された感知された誘発複合活動電位（ＥＣＡＰ）信号を受信することと、ＥＣＡＰ信号の特性を特定することと、ＥＣＡＰ信号の特性とゲイン値に基づいて、通知パルスを少なくとも部分的に定義するパラメータ値を判定することと、を行うように構成されている処理回路と、を含むシステム。
【０１７６】
実施例４５：ゲイン値が、患者に送達され、刺激パラメータの異なる値によって少なくとも部分的に定義される、それぞれの較正刺激パルスから誘発されたＥＣＡＰ信号の特性の値の成長曲線の傾斜を表す、実施例４４の方法。
【０１７７】
実施例４６：ＥＣＡＰ信号の特性がＥＣＡＰ信号の一部分の測定振幅であり、治療パラメータ値が新しい通知振幅値を含み、処理回路が、新しい治療パラメータ値を判定することを、患者の目標ＥＣＡＰ振幅値から測定振幅を減算して、差分振幅を生成することと、差分振幅にゲイン値を乗算して、予備差分値を生成することと、予備差分値にスケーリング係数を乗算して、通知差分値を生成することであって、スケーリング係数が、制御刺激パルスの前に送達される以前の通知刺激パルスを定義する以前の通知振幅値の、制御刺激パルスを定義する制御振幅値に対する比を表す、生成することと、通知差分値を以前の通知振幅値に加算して、通知刺激パルスを少なくとも部分的に定義する新しい通知振幅値を生成することと、によって行うように構成されている、実施例４４および４５のいずれかの組み合わせに記載のシステム。
【０１７８】
実施例４７：制御パルスが第１の制御パルスであり、処理回路が、第１の制御刺激パルスを定義する以前の制御振幅値に予備差分値を加算することにより、第２の制御刺激パルスを定義する新しい制御振幅値を生成するように構成され、第２の制御刺激パルスが、第１の制御刺激パルスの送達に続いて患者に送達される、実施例４４〜４６のいずれかの組み合わせに記載のシステム。
【０１７９】
実施例４８：通知刺激パルスが第１の通知刺激パルスであり、処理回路が、刺激生成回路を制御して、第１の通知刺激パルスの送達後に、新しい通知振幅値によって少なくとも部分的に定義される第２の通知刺激パルスを送達するように構成されている、実施例４４〜４７のいずれかの組み合わせに記載のシステム。
【０１８０】
実施例４９：ＥＣＡＰ信号の一部分の測定振幅が、ＥＣＡＰ信号のＮ１ピークとＰ２ピークとの間の電圧振幅を含む、実施例４４〜４８のいずれかの組み合わせに記載のシステム。
【０１８１】
実施例５０：処理回路が、ＥＣＡＰ信号の特性およびゲイン値に基づいて、通知刺激パルスを少なくとも部分的に定義する治療パラメータ値を判定することを、複数の連続して感知されたＥＣＡＰ信号の特性の平均値およびゲイン値に基づいて、通知刺激パルスを少なくとも部分的に定義する治療パラメータ値を判定することによって行うように構成されており、複数の連続して感知されたＥＣＡＰ信号がＥＣＡＰ信号を含む、実施例４４〜４９のいずれかの組み合わせに記載のシステム。
【０１８２】
実施例５１：複数の制御刺激パルスが前記制御刺激パルスを含み、複数の通知刺激パルスが通知刺激パルスを含み、処理回路が、刺激生成回路を制御して、複数の制御刺激パルスを複数の通知刺激パルスのうちの少なくともいくつかとインターリーブさせるように構成されている、実施例４４〜５０のいずれかの組み合わせに記載のシステム。
【０１８３】
実施例５２：処理回路が、刺激発生回路を制御して、複数の制御刺激パルスを複数の通知刺激パルスのうちの少なくともいくつか内でとインターリーブさせることを、刺激発生回路を制御して、複数の制御刺激パルスのうちの少なくとも２つの制御刺激パルスを、連続する通知刺激パルス間で送達することと、感知回路を制御して、連続する通知刺激パルスの間に、少なくとも２つの制御刺激パルスのそれぞれの制御刺激パルスによって誘発される少なくとも２つのＥＣＡＰ信号を感知することと、によって行うように構成されている、実施例４４〜５１のいずれかの組み合わせに記載のシステム。
【０１８４】
実施例５３：通知刺激パルスのパルス幅が約３００マイクロ秒超であり、約１０００マイクロ秒未満である、実施例４４〜５２のいずれかの組み合わせに記載のシステム。
【０１８５】
実施例５４：制御刺激パルスのパルス幅が約３００マイクロ秒未満である、実施例４４〜５３のいずれかのシステム。
【０１８６】
実施例５５：通知刺激パルスが、受動的な再充電相が後に続く単相パルスであり、制御刺激パルスが、正相および負相を含む二相パルスである、実施例４４〜５４のいずれかの組み合わせに記載のシステム。
【０１８７】
実施例５６：通知刺激パルスが、第１の正相および第１の負相を含む第１の二相パルスであり、制御刺激パルスが、第２の正相および第２の負相を含む第２の二相パルスである、実施例４４〜５５のいずれかの組み合わせに記載のシステム。
【０１８８】
実施例５７：複数の制御パルスが、複数の非治療パルスを含み、複数の通知パルスが、複数の治療パルスを含む、実施例４４〜５６のいずれかの組み合わせに記載のシステム。
【０１８９】
実施例５８：コンピュータ可読記憶媒体であって、実行されたときに、１つ以上のプロセッサに、制御刺激パルスの患者への送達を制御することであって、制御刺激パルスが第１のパルス幅を有する、制御することと、制御刺激パルスによって誘発された誘発複合活動電位（ＥＣＡＰ）信号を感知することと、ＥＣＡＰ信号の特性を特定することと、ＥＣＡＰ信号の特性およびゲイン値に基づいて、複数の通知パルスから通知刺激パルスを少なくとも部分的に定義するパラメータ値を判定することとであって、複数の通知パルスが、第１のパルス幅よりも長い第２のパルス幅を有する、判定することと、判定したパラメータ値に従って通知パルスを送達することと、を行わせる命令を含むコンピュータ可読記憶媒体。
【０１９０】
本開示に記載される技術は、少なくとも部分的に、ハードウェア、ソフトウェア、ファームウェア、またはそれらのいずれかの組み合わせで実装されてもよい。例えば、記載された技術の様々な態様は、１つ以上のマイクロプロセッサ、デジタル信号プロセッサ（ＤＳＰ）、特定用途向け集積回路（ＡＳＩＣ）、フィールドプログラマブルゲートアレイ（ＦＰＧＡ）、あるいは他の同等の統合または個別論理回路、およびそのような構成要素のいずれかの組み合わせを含む、１つ以上のプロセッサまたは処理回路内に実装されてもよい。「プロセッサ」または「処理回路」という用語は、一般に、単独で、または他の論理回路と組み合わせた前述の論理回路のいずれか、または他の同等の回路を指し得る。ハードウェアを含む制御ユニットはまた、本開示の１つ以上の技術を実行してもよい。
【０１９１】
そのようなハードウェア、ソフトウェア、ファームウェアは、本開示に記載の様々な動作および機能をサポートするために、同じデバイス内または別個のデバイス内で実装されてもよい。加えて、記載されたユニット、回路、または構成要素のいずれかは、離散的ではあるが相互運用可能な論理デバイスとして一緒にまたは別々に実装されてもよい。異なる機能を回路またはユニットとして表現することは、異なる機能的な側面を強調することを意図しており、必ずしもそのような回路またはユニットが別個のハードウェアまたはソフトウェア構成要素によって実現されなければならないことを意味するものではない。むしろ、１つ以上の回路またはユニットに関連する機能は、別個のハードウェアまたはソフトウェア構成要素によって実行されてもよいし、共通または別個のハードウェアまたはソフトウェア構成要素内に統合されてもよい。
【０１９２】
本開示に記載される技術はまた、非一時的媒体として記述され得る命令を含む、コンピュータ可読記憶媒体などのコンピュータ可読媒体において具体化または符号化されてもよい。コンピュータ可読記憶媒体に埋め込まれたまたは符号化された命令は、例えば、命令が実行されたときに、プログラム可能なプロセッサまたは他のプロセッサにその方法を実行させることができる。コンピュータ読み取り可能な記憶媒体は、ランダムアクセスメモリ（ＲＡＭ）、読み取り専用メモリ（ＲＯＭ）、プログラマブル読み取り専用メモリ（ＰＲＯＭ）、消去可能なプログラマブル読み取り専用メモリ（ＥＰＲＯＭ）、電子的に消去可能なプログラマブル読み取り専用メモリ（ＥＥＰＲＯＭ）、フラッシュメモリ、ハードディスク、ＣＤ−ＲＯＭ、フロッピーディスク、カセット、磁気媒体、光学媒体、または他のコンピュータ読み取り可能な媒体を含むことができる。
【図１】
2021529572.tif 000003
【図２Ａ】
2021529572.tif 000004
【図２Ｂ】
2021529572.tif 000005
【図３】
2021529572.tif 000006
【図４Ａ】
2021529572.tif 000007
【図４Ｂ】
2021529572.tif 000008
【図５】
2021529572.tif 000009
【図６】
2021529572.tif 000010
【図７】
2021529572.tif 000011
【図８】
2021529572.tif 000012
【図９】
2021529572.tif 000013
【図１０Ａ】
2021529572.tif 000014
【図１０Ｂ】
2021529572.tif 000015
【図１１】
2021529572.tif 000016
【図１２】
2021529572.tif 000017
【図１３】
2021529572.tif 000018
【国際調査報告】
2021529572.tif 000019
2021529572.tif 000020